(57)【要約】【課題】  第一日車及び第二日車を正逆両方向に回転させて、確実かつ容易に日付の表示を逆戻りさせる修正をすることができる構造を提供する。【解決手段】  カレンダ機構付き時計は、第一日車３１２と、第二日車３２２と、第一日車３１２の回転により第二日車３２２を回転させる日中間車３３０とを備える。第一日車３１２のカレンダ桁送り歯３１８ａ〜３１８ｄは、正転送り部と、逆転送り部とを備える。第二日車３２２の回転中心を「ＣＤＡ」、日中間車３３０の回転中心を「ＣＭＤ」、「ＣＤＡ」と「ＣＭＤ」とを通る直線を「ＬＤＭ」と定義したとき、第一日車３１２を第一方向に送る前のカレンダ桁送り歯の配置と、第一日車３１２を前記第一方向に送り終えた状態のカレンダ桁送り歯の配置とは、直線「ＬＤＭ」を基準線として線対称である。【選択図】      図１
2005214836.tif 000002
【特許請求の範囲】
【請求項１】
２つの日車を含むカレンダ機構付き時計において、
日付のうちの一の位を表示する第一日車（３１２）と、
第一日車（３１２）の回転方向の位置を規正するための第一日ジャンパ（３１４）と、
日付のうちの十の位を表示する第二日車（３２２）と、
第二日車（３２２）の回転方向の位置を規正するための第二日ジャンパ（３２４）と、
第一日車（３１２）の回転に基づいて回転して第二日車（３２２）を回転させることができる日中間車（３３０）とを備え、
第一日車（３１２）の回転中心と、第二日車（３２２）の回転中心は同一の位置にあるように配置され、
第一日車（３１２）は、内歯として形成された３１個の第一日車歯部（３１６）と、内歯として形成された４個のカレンダ桁送り歯（３１８ａ〜３１８ｄ）とを含み、第一日車歯部（３１６）は、等しい角度の間隔で形成され、カレンダ桁送り歯（３１８ａ〜３１８ｄ）は、基準となる第１カレンダ桁送り歯（３１８ａ）と、第１カレンダ桁送り歯（３１８ａ）を基準として、第一の方向（例えば、時計回り方向）に（３６０＊２／３１）度の間隔で形成された第２カレンダ桁送り歯（３１８ｂ）と、第２カレンダ桁送り歯（３１８ｂ）を基準として、前記第一の方向（例えば、時計回り方向）に（３６０＊１０／３１）度の間隔で形成された第３カレンダ桁送り歯（３１８ｃ）と、第１カレンダ桁送り歯（３１８ｂ）を基準として、前記第一の方向と反対の方向（例えば、反時計回り方向）に（３６０＊９／３１）度の間隔で形成された第４カレンダ桁送り歯（３１８ｄ）とからなり、
それぞれのカレンダ桁送り歯（３１８ａ〜３１８ｄ）は、第一日車（３１２）を第一方向に送るための正転送り部と、第一日車（３１２）を、前記第一方向と反対の第二方向に送るための逆転送り部とを備え、
第二日車（３２２）の回転中心を「ＣＤＡ」と定義し、日中間車（３３０）の回転中心を「ＣＭＤ」と定義し、「ＣＤＡ」と「ＣＭＤ」とを通る直線を「ＬＤＭ」と定義したとき、それぞれのカレンダ桁送り歯（３１８ａ〜３１８ｄ）について、第一日車（３１２）を第一方向に送る前の状態におけるカレンダ桁送り歯の配置と、第一日車３１２を前記第一方向に送り終えた状態におけるカレンダ桁送り歯の配置とは、直線「ＬＤＭ」を基準線とした線対称の関係に構成される、
ことを特徴とするカレンダ機構付き時計。
【請求項２】
請求項１に記載のカレンダ機構付き時計において、前記直線「ＣＤＡ」と、それぞれのカレンダ桁送り歯（３１８ａ〜３１８ｄ）の回転方向における中心部とを通る直線を「ＬＤＨ」と定義したとき、それぞれのカレンダ桁送り歯（３１８ａ〜３１８ｄ）について、正転送り部（３１８ａｆ）と、逆転送り部（３１８ａｂ）とは、「ＬＤＨ」を基準として線対称の形状に形成されることを特徴とするカレンダ機構付き時計。
【請求項３】
請求項１に記載のカレンダ機構付き時計において、時刻情報を表示するための指針はステップモータ（７３０、７３２、７３４）により作動され、第一日車（３１２）は、超音波モータ（２４０）により作動されることを特徴とするカレンダ機構付き時計。
【請求項４】
請求項３に記載のカレンダ機構付き時計において、時刻情報を表示するための指針（１６４）の回転を検出するための２４時信号検出部（７４０）と、第一日車（３１２）を回転させるための輪列の回転を検出するための回転信号検出部（７４２）とを備え、前記２４時信号検出部（７４０）が出力する出力信号に基づいて超音波モータ（２４０）の作動を制御し、かつ、前記回転信号検出部（７４２）が出力する出力信号に基づいて超音波モータ（２４０）の作動を制御するように構成されることを特徴とするカレンダ機構付き時計。
【請求項５】
請求項１に記載のカレンダ機構付き時計において、時刻情報を表示するための指針（１６２、１６４）の修正を行うための針合わせ機構を備え、前記針合わせ機構の作動に基づいて超音波モータ（２４０）の作動を制御するように構成されることを特徴とするカレンダ機構付き時計。
【請求項６】
請求項１に記載のカレンダ機構付き時計において、時刻情報を表示するための時針（１６４）の時差修正を行うための時差修正機構を備え、前記時差修正機構の作動に基づいて超音波モータ（２４０）の作動を制御するように構成されることを特徴とするカレンダ機構付き時計。
【請求項７】
請求項６に記載のカレンダ機構付き時計において、時刻情報を表示する時針（１６４）
を駆動するための筒車（１８０）を備え、前記筒車（１８０）は、筒歯車（１８２）と、時ジャンパ（１８４）と、時ジャンパかな（１８６）と、時表示車（１８６）と、接点作動車（１８９）とを含み、筒歯車（１８２）と、時ジャンパ（１８４）と、時ジャンパかな（１８６）と、時表示車（１８８）と、接点作動車（１８９）は、一体になって回転するように構成されており、接点作動車（１８９）の回転に基づいて超音波モータ（２４０）の作動を制御するように構成されることを特徴とするカレンダ機構付き時計。
【請求項８】
請求項６に記載のカレンダ機構付き時計において、時刻情報を表示する時針（１６４）を駆動するための筒車（１８０）を備え、前記筒車（１８０）は、筒歯車（１８２）と、時ジャンパ（１８４）と、時ジャンパかな（１８６）と、時表示車（１８６）と、接点作動車（１８９）とを含み、筒歯車（１８２）と、時ジャンパ（１８４）と、時ジャンパかな（１８６）と、時表示車（１８８）と、接点作動車（１８９）は、一体になって回転するように構成されており、時針（１６４）は時表示車（１８６）に取付けられ、時ジャンパ（１８４）の回転に基づいて回転する２４時筒車（２２２）を更に備え、２４時筒車（２２２）は２４時間に１回転するように構成されることを特徴とするカレンダ機構付き時計。
【発明の詳細な説明】
【技術分野】
【０００１】
本発明は、日付のうちの一の位を表示する第一日車と、日付のうちの十の位を表示する第二日車とを含むカレンダ機構付き時計に関する。
【背景技術】
【０００２】
以下に、日付のうちの一の位を表示する第一日車と、日付のうちの十の位を表示する第二日車とを含む従来のカレンダ機構付き時計の構成について説明する。
（１）従来の第一タイプのカレンダ機構付き時計
従来の第一タイプのカレンダ機構付き時計は、大型窓を有する文字盤と、１つの「１」の数字と、３組の「１」から「９」および「０」の数字を含む３１個の数字を配置し、かつ４本の歯を設けた１の位用回転体（すなわち、第一日車）を備え、さらに、４本の歯を有する１０の位用星形板と、「０」、「１」、「２」、「３」の数字を配置した１０の位用回転体（すなわち、第二日車）を備えている。１の位用回転体（すなわち、第一日車）が、直接、１０の位用回転体（すなわち、第二日車）を回転させている（例えば、特許文献１参照）。
【０００３】
（２）従来の第二タイプのカレンダ機構付き時計
従来の第二タイプのカレンダ機構付き時計は、日付の一の位を表示する第１日板（すなわち、第一日車）と、日付の十の位を表示する第２日板（すなわち、第二日車）と、第１日板を駆動する日送り車と、第１日板に設けられた送り爪と、送り爪に駆動される中間車と、第１日板を送り途中から回転させ安定位置に留める第１躍制レバーと、第２日板を送り途中から回転させ安定位置に留める第２躍制レバーとを含む。第１日板（すなわち、第一日車）には、２組の「１」から「９」および「０」の数字を含む２０個の数字が配置されている（例えば、特許文献２参照）。
【０００４】
（３）従来の超音波モータを備えた電子時計
さらに、従来の超音波モータで日車を回転させる電子時計は、日車を回転させるための超音波モータと、超音波モータの回転に基づいて回転する日回し中間車と、日回し中間車の回転に基づいて回転して、日車を回転させるための日回し車と、日回し車に設けられた接点ばねと、接点ばねと接触することにより日回し車の回転の状態を検出する複数の接点パターンを有する回路基板と、接点パターンの出力する回転信号を入力して、超音波モータの回転を制御するモータ駆動回路と、日車の内歯のうちの２つの内歯に係合して日車の回転方向に沿った位置を規正するための、ばね部分を有する日ジャンパとを備えている（例えば、特許文献３参照）。
【０００５】
（４）従来の時差修正機構付き時計
さらに、従来の時差修正機構付き時計は、表輪列の回転に基づいて回転する筒歯車と、筒歯車の回転に基づいて回転する時表示車と、筒歯車と時表示車との間に設けられたスリップ機構と、時表示車に取付けられ、時に関する情報を表示するための時表示部材と、時差修正が可能な状態において、巻真の回転により回転して、スリップ機構をスリップさせることにより、時表示車を筒歯車に対して１ピッチ（時表示車の１時間分、すなわち、（３６０／１２）度だけ）ずつ回転させることができる時差修正輪列とを備えている（例えば、特許文献４参照）。
【０００６】
（５）特許文献のリスト
以下に、上述した従来の時計に関する特許文献のリストを示す。
【特許文献１】特許第３３９００２１号公報
【特許文献２】特開２０００−３１４７７９号公報
【特許文献３】特許第３００２９６９号公報
【特許文献４】特開２０００−１４７１４５号公報
【発明の開示】
【発明が解決しようとする課題】
【０００７】
（１）従来の第一タイプのカレンダ機構付き時計の課題
従来の第一タイプのカレンダ機構付き時計は、「１」の数字と、３組の「１」から「９」および「０」の数字を含む３１個の数字を配置した１の位用回転体を備えているので、月末にカレンダ機構を修正しなければならない時は、２月、４月、６月、９月、１１月のそれぞれ月末である。すなわち、カレンダ機構を修正しなければならない回数は、年に５回である。しかしながら、従来の第一タイプのカレンダ機構付き時計では、１の位用回転体が、直接、１０の位用回転体を回転させるので、１の位用回転体と、１０の位用回転体とが同じ回転中心をもつように配置することができなかった。したがって、この構造では、２つの回転体を設計するとき、２つの回転体により日付を表示することができる位置に、制約が生じていた。また、従来の第一タイプのカレンダ機構付き時計では、日付の表示を正逆両方向に修正することがむずかしかった。
【０００８】
（２）従来の第二タイプのカレンダ機構付き時計の課題
従来の第二タイプのカレンダ機構付き時計では、第１日板には、２組の「０」、「１」〜「９」の数字、すなわち、２０個の数字が配置されている。したがって、月末にカレンダ機構を修正しなければならない時は、毎月のそれぞれ月末である。すなわち、カレンダ機構を修正しなければならない回数は、年に１２回である。また、従来の第二タイプのカレンダ機構付き時計では、日付の表示を正逆両方向に修正することがむずかしかった。
【０００９】
（３）発明の目的
本発明の目的は、日付のうちの一の位を表示する第一日車と、日付のうちの十の位を表示する第二日車とを含むカレンダ機構付き時計において、月末にカレンダ機構を修正しなければならない回数を増すことがない、操作性の良いカレンダ機構付き時計を提供することにある。
また、本発明の他の目的は、第一日車の回転中心と、第二日車の回転中心を同じ位置に配置して、デザインの制約が少ないカレンダ機構付き時計を提供することにある。
【００１０】
また、本発明の更なる目的は、日付のうちの一の位を表示する第一日車と、日付のうちの十の位を表示する第二日車とを含むカレンダ機構付き時計において、第一日車および第二日車を正方向に回転させて日付の表示を修正することもでき、さらに、第一日車および第二日車を逆方向に回転させて確実かつ容易に日付の表示を逆戻りさせる修正をすることもできるカレンダ機構付き時計を提供することにある。
【００１１】
また、本発明のなお更なる目的は、日付のうちの一の位を表示する第一日車と、日付のうちの十の位を表示する第二日車とを含むカレンダ機構付き時計において、時刻を表示する指針を作動させるための輪列を駆動する第一モータと、第一日車および第二日車を作動させるための輪列を駆動する第二モータとを備え、正確な時刻表示と、正確な日付表示を行うことができ、確実かつ容易に日付の表示を正逆両方向に修正することができるカレンダ機構付き時計を提供することにある。
また、本発明のまた更なる目的は、日付のうちの一の位を表示する第一日車と、日付のうちの十の位を表示する第二日車とを含むカレンダ機構付き時計において、確実かつ容易に日付の表示を正逆両方向に修正することができ、かつ、確実かつ容易に時針による表示の時差修正をすることができるカレンダ機構付き時計を提供することにある。
【課題を解決するための手段】
【００１２】
本発明は、２つの日車を含むカレンダ機構付き時計において、日付のうちの一の位を表示する第一日車と、第一日車の回転方向の位置を規正するための第一日ジャンパと、日付のうちの十の位を表示する第二日車と、第二日車の回転方向の位置を規正するための第二日ジャンパと、第一日車の回転に基づいて回転して第二日車を回転させることができる日中間車とを備えるように構成した。このカレンダ機構付き時計では、第一日車の回転中心と、第二日車の回転中心は同一の位置にあるように配置され、第一日車は、内歯として形成された３１個の第一日車歯部と、内歯として形成された４個のカレンダ桁送り歯とを含み、第一日車歯部は、等しい角度の間隔で形成され、カレンダ桁送り歯は、基準となる第１カレンダ桁送り歯と、第１カレンダ桁送り歯を基準として、第一の方向（例えば、時計回り方向）に（３６０＊２／３１）度の間隔で形成された第２カレンダ桁送り歯と、第２カレンダ桁送り歯を基準として、前記第一の方向（例えば、時計回り方向）に（３６０＊１０／３１）度の間隔で形成された第３カレンダ桁送り歯と、第１カレンダ桁送り歯を基準として、前記第一の方向と反対の方向（例えば、反時計回り方向）に（３６０＊９／３１）度の間隔で形成された第４カレンダ桁送り歯とからなる。
【００１３】
このカレンダ機構付き時計では、それぞれのカレンダ桁送り歯は、第一日車を第一方向に送るための正転送り部と、第一日車を、前記第一方向と反対の第二方向に送るための逆転送り部とを備える。このカレンダ機構付き時計では、第二日車の回転中心を「ＣＤＡ」と定義し、日中間車の回転中心を「ＣＭＤ」と定義し、「ＣＤＡ」と「ＣＭＤ」とを通る直線を「ＬＤＭ」と定義したとき、それぞれのカレンダ桁送り歯について、第一日車を第一方向に送る前の状態におけるカレンダ桁送り歯の配置と、第一日車を前記第一方向に送り終えた状態におけるカレンダ桁送り歯の配置とは、直線「ＬＤＭ」を基準線とした線対称の関係に構成されることを特徴とする。この構成により、第一日車および第二日車を正方向に回転させて日付の表示を修正することができる。
【００１４】
本発明のカレンダ機構付き時計において、前記回転中心「ＣＤＡ」と、それぞれのカレンダ桁送り歯の回転方向における中心部とを通る直線を「ＬＤＨ」と定義したとき、それぞれのカレンダ桁送り歯について、正転送り部と、逆転送り部とは、「ＬＤＨ」を基準として線対称の形状に形成されるのが好ましい。この構成により、第一日車および第二日車を正方向に回転させて日付の表示を修正することもでき、さらに、第一日車および第二日車を逆方向に回転させて確実かつ容易に日付の表示を逆戻りさせる修正をすることもできる。
【００１５】
本発明のカレンダ機構付き時計において、時刻情報を表示するための指針はステップモータにより作動され、第一日車は、超音波モータにより作動されるのが好ましい。
【００１６】
本発明のカレンダ機構付き時計は、時刻情報を表示するための指針の回転を検出するための２４時信号検出部と、第一日車を回転させるための輪列の回転を検出するための回転信号検出部とを備え、前記２４時信号検出部が出力する出力信号に基づいて超音波モータの作動を制御し、かつ、前記回転信号検出部が出力する出力信号に基づいて超音波モータの作動を制御するように構成されるのが好ましい。
【００１７】
本発明のカレンダ機構付き時計は、時刻情報を表示するための指針の修正を行うための針合わせ機構を備え、前記針合わせ機構の作動に基づいて超音波モータの作動を制御するように構成されるのが好ましい。
【００１８】
本発明のカレンダ機構付き時計は、時刻情報を表示するための時針の時差修正を行うための時差修正機構を備え、前記時差修正機構の作動に基づいて超音波モータの作動を制御するように構成されるのが好ましい。この構成により、確実かつ容易に日付の表示を正逆両方向に修正することができ、かつ、確実かつ容易に時針による表示の時差修正をすることができる。
【００１９】
本発明のカレンダ機構付き時計は、時刻情報を表示する時針を駆動するための筒車を備え、前記筒車は、筒歯車と、時ジャンパと、時ジャンパかなと、時表示車と、接点作動車とを含み、筒歯車と、時ジャンパと、時ジャンパかなと、時表示車と、接点作動車は、一体になって回転するように構成されており、接点作動車の回転に基づいて超音波モータの作動を制御するように構成されるのが好ましい。
【００２０】
本発明のカレンダ機構付き時計は、時刻情報を表示する時針を駆動するための筒車を備え、前記筒車は、筒歯車と、時ジャンパと、時ジャンパかなと、時表示車と、接点作動車とを含み、筒歯車と、時ジャンパと、時ジャンパかなと、時表示車と、接点作動車は、一体になって回転するように構成されており、時針は時表示車に取付けられ、時ジャンパ１８４の回転に基づいて回転する２４時筒車を更に備え、２４時筒車は２４時間に１回転するように構成されるのが好ましい。
【発明の効果】
【００２１】
本発明のカレンダ機構付き時計は、日付のうちの一の位を表示する第一日車と、日付のうちの十の位を表示する第二日車とを含み、月末にカレンダ機構を修正しなければならない回数を増すことなく、操作性がよい。また、本発明のカレンダ機構付き時計は、第一日車の回転中心と、第二日車の回転中心を同じ位置に配置することができるので、日車を配置する位置に関するデザイン上の制約が非常に少ない。すなわち、本発明により、日付表示の位置に自由度があるカレンダ機構付き時計を実現することができる。
さらに、本発明のカレンダ機構付き時計では、第一日車および第二日車を正方向に回転させて日付の表示を確実に修正することもでき、また、第一日車および第二日車を逆方向に回転させて日付の表示を確実に修正することもできる。また、本発明のカレンダ機構付き時計は、正確な時刻表示と、正確な日付表示を行うことができ、容易に日付の表示を修正することもできる。
【発明を実施するための最良の形態】
【００２２】
以下に、本発明のカレンダ機構付き時計の実施の形態を図面に基づいて説明する。一般に、時計の駆動部分を含む機械体を「ムーブメント」と称する。ムーブメントに文字板、針を取り付けて、時計ケースの中に入れて完成品にした状態を時計の「コンプリート」と称する。時計の基板を構成する地板の両側のうちで、時計ケースのガラスのある方の側、すなわち、文字板のある方の側をムーブメントの「裏側」又は「ガラス側」又は「文字板側」と称する。地板の両側のうちで、時計ケースの裏蓋のある方の側、すなわち、文字板と反対の側をムーブメントの「表側」又は「裏蓋側」と称する。ムーブメントの「表側」に組み込まれる輪列を「表輪列」と称する。ムーブメントの「裏側」に組み込まれる輪列を「裏輪列」と称する。
【００２３】
（Ａ）本発明の基礎技術を構成するカレンダ機構付き時計
最初に、本発明の基礎技術を構成するカレンダ機構付き時計について説明する。
（Ａ・１）第一日車を正方向に回転させようとしている状態
図３５は、本発明の基礎技術を構成するカレンダ機構付き時計において、第一日車を正方向（時計回り方向）に回転させようとしている状態における、文字板側から見たムーブメントの裏側の構造を示す部分平面図である。図３５を参照すると、ムーブメント９００は、駆動装置（図示せず）の回転により回転する日回し車９１０と、日付のうちの一の位を表示する第一日車９１２と、第一日車９１２の回転方向の位置を規正するための第一日ジャンパ９１４と、日付のうちの十の位を表示する第二日車９２２と、第二日車９２２の回転方向の位置を規正するための第二日ジャンパ９２４と、第一日車９１２の回転に基づいて回転して第二日車９２２を回転させることができる日中間車９３０とを備えている。アナログ電子時計の場合、駆動装置はステップモータで構成される。第一日車９１２の回転中心と、第二日車９２２の回転中心は同一の位置にある。すなわち、第一日車９１２の回転中心と、第二日車９２２の回転中心は、時針（図示せず）の回転中心と同じ位置にある。日中間車９３０は、日中間車ピン９３４に対して回転可能に設けられている。
【００２４】
第一日車９１２はリング形状の第一日文字表示面（図示せず）を備える。第一日車９１２は、内歯として形成された３１個の第一日車歯部９１６と、内歯として形成された４個のカレンダ桁送り歯９１８とを含む。第一日ジャンパ９１４の規正部９１４ｃ、９１４ｄが第一日車歯部９１６を規正する。第一日車歯部９１６は、等しい角度の間隔、すなわち（３６０／３１）度の間隔で形成される。カレンダ桁送り歯９１８は、基準となる第１カレンダ桁送り歯９１８ａと、第１カレンダ桁送り歯９１８ａを基準として時計回り方向に（３６０＊２／３１）度の間隔で形成された第２カレンダ桁送り歯９１８ｂと、第２カレンダ桁送り歯９１８ｂを基準として時計回り方向に（３６０＊１０／３１）度の間隔で形成された第３カレンダ桁送り歯（図示せず）と、第１カレンダ桁送り歯９１８ａを基準として反時計回り方向に（３６０＊９／３１）度の間隔で形成された第４カレンダ桁送り歯（図示せず）とからなる。第１カレンダ桁送り歯９１８ａと、第４カレンダ桁送り歯との間の間隔は（３６０＊９／３１）度である。３１個の数字からなる第一日文字（図示せず）が第一日文字表示面に設けられる。第一日文字は、４組の数字を含む。すなわち、第一日文字は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。第一日文字を構成する３１個の数字は、等しい角度の間隔、すなわち（３６０／３１）度の間隔で第一日文字表示面に配置される。
【００２５】
第二日車９２２は円盤形状の第二日文字表示面（図示せず）を備えるように形成される。第二日車９２２は、外歯として形成された１２個の位置決め歯部９２６と、外歯として形成された１２個の送り歯９２８とを含む。位置決め歯部９２６は、等しい角度の間隔、例えば（３６０／１２）度の間隔で形成される。送り歯９２８は、等しい角度の間隔、例えば（３６０／１２）度の間隔で形成される。「１」、「２」、「３」および「０」からなる第二日文字（図示せず）が第二日文字表示面に設けられる。「１」の数字と「２」の数字は、３０度の間隔で第二日文字表示面に配置される。「２」の数字と「３」の数字は、３０度の間隔で第二日文字表示面に配置される。「３」の数字と「０」の数字は、３０度の間隔で第二日文字表示面に配置される。したがって、第二日文字表示面には、「１」の数字と、「２」の数字と、「３」の数字と、「０」の数字が、互いに３０度の間隔をなすように配置される。第二日文字表示面には、「１」の数字と、「２」の数字と、「３」の数字と、「０」の数字からなる数字の組が３組設けられる。「０」の数字を設ける代わりに、その位置を「白紙」の部分（すなわち、何の数字も設けられていない無地の部分）とする構成もある。図３５に示す状態では、カレンダ機構付き時計の文字板の日窓には、第二日車９２２の表示が「３」であり、第一日車９１２の表示が「１」である「３１日」を示す状態が表示されている。
【００２６】
第二日ジャンパ９２４の規正部９２４ｃ、９２４ｄが位置決め歯部９２６を規正する。日回し車９１０は外歯として形成された４個の日回し歯９１０ａを含む。日回し車９１０が矢印で示す方向（時計回り方向）に回転することにより、日回し歯９１０ａは第一日車歯部９１６を送り、１日に１度、第一日車９１２を時計回り方向に（３６０／３１）度回転させる。日中間車９３０は外歯として形成された９個の日中間歯９３０ａを含む。第一日車９１２により日窓から表示される日文字が「９」から「０」に変わるとき、第一日車９１２が時計回り方向に（３６０／３１）度回転することにより、第２カレンダ桁送り歯９１８ｂ、または第３カレンダ桁送り歯９１８ｃ、または第４カレンダ桁送り歯９１８ｄは、日中間歯９３０ａを回転させ、日中間歯９３０ａが送り歯９２８を回転させて、１０日ごとに１度、第二日車９２２を反時計回り方向に３０度回転させる。第二日車９２２により日窓から表示される日文字が「３」から「０」（または、「白紙」の状態）に変わり、かつ、第一日車９１２により日窓から表示される日文字が「１」から隣接する次の「１」に変わるとき、第一日車９１２が時計回り方向に（３６０／３１）度回転することにより、第１カレンダ桁送り歯９１８ａは日中間歯９３０ａを回転させ、日中間歯９３０ａが送り歯９２８を回転させて、３１日ごとに１度、第二日車９２２を反時計回り方向に３０度回転させる。
【００２７】
（Ａ・２）第一日車を正方向に回転させている状態
図３６は、本発明の基礎技術を構成するカレンダ機構付き時計において、第一日車９１２を正方向に回転させている状態で、第一日車９１２が正方向に回転して、第一日車９１２の歯部９１６ａの先端部と、第一日ジャンパ９１４の規正部９１４ｃと９１４ｄが交差する先端部とが接触している状態における、文字板側から見たムーブメント９００の裏側の構造を示す部分平面図である。図３６を参照すると、第一日車９１２の表示が「１」であり、第二日車９２２の表示が「３」であるとき、日回し車９１０は矢印で示す方向に回転して、日回し歯９１０ａは第一日車９１２を矢印で示す方向に回転させる。この第一日車９１２の送り状態の途中で、第一日車９１２の歯部９１６ａの先端部と、第一日ジャンパ９１４の規正部９１４ｃと９１４ｄが交差する先端部とが接触する状態になる。また、第一日車９１２が矢印で示す方向に回転することにより、第１カレンダ桁送り歯９１８ａは日中間歯９３０ａを回転させ、日中間歯９３０ａが送り歯９２８を回転させて、第二日車９２２を反時計回り方向に矢印で示す方向に回転させる。この第二日車９２２の送り状態の途中で、第二日車９２２の位置決め歯部９２６ａの先端部と、第二日ジャンパ９２４の規正部９２４ｃと９２４ｄが交差する先端部とが接触する状態になる。
【００２８】
（Ａ・３）第一日車が正方向に１ピッチ回転した状態
図３７は、本発明の基礎技術を構成するカレンダ機構付き時計において、第一日車９１２が正方向に１ピッチ（第一日車の１歯分、すなわち、（３６０／３１）度だけ）回転した状態における、文字板側から見たムーブメントの裏側の構造を示す部分平面図である。図３７を参照すると、図３６に示す状態からさらに日回し車９１０が矢印で示す方向に回転して、日回し歯９１０ａが第一日車９１２を矢印で示す方向に回転させると、第一日ジャンパ９１４の弾性力により、第一日車９１２は、図３５に示す状態から時計回り方向に（３６０／３１）度回転した位置に位置決めされる。また、第二日ジャンパ９２４の弾性力により、第二日車９２２は、図３５に示す状態から反時計回り方向に３０度回転した位置に位置決めされる。その結果、第二日車９２２の表示が「３」から「０」（または、「白紙」の状態）に変わり、かつ、第一日車９１２の表示が「１」から隣接する次の「１」に変わる。すなわち、図３７に示す状態では、カレンダ機構付き時計の文字板の日窓には、第二日車９２２の表示が「０」（または、「白紙」の状態）で、第一日車９１２の表示が「１」である「１日」が表示される。図３７に示す状態では、第１カレンダ桁送り歯９１８ａと、日中間歯９３０ａとの間には、隙間が生じている。
【００２９】
（Ａ・４）第一日車を逆方向に回転させようとしている状態
図３８は、本発明の基礎技術を構成するカレンダ機構付き時計において、第一日車を逆方向（反時計回り方向）に回転させようとしている状態における、文字板側から見たムーブメントの裏側の構造を示す部分平面図である。図３８を参照すると、日回し車９１０が矢印で示す方向（反時計回り方向）に回転することにより、日回し歯９１０ａは第一日車歯部９１６に近づいてゆく。
【００３０】
（Ａ・５）第一日車を逆方向に回転させている状態
図３９は、本発明の基礎技術を構成するカレンダ機構付き時計において、第一日車を逆方向に回転させている状態で、第一日車９１２の歯部９１６ａの先端部と、第一日ジャンパ９１４の規正部９１４ｃと９１４ｄが交差する先端部とが接触している状態における、文字板側から見たムーブメント９００の裏側の構造を示す部分平面図である。図３９を参照すると、第一日車９１２の表示が「１」であり、第二日車９２２の表示が「０」（または、「白紙」の状態）であるとき、日回し車９１０は矢印で示す方向に回転して、日回し歯９１０ａは第一日車９１２を矢印で示す方向に回転させる。この第一日車９１２の送り状態の途中で、第一日車９１２の歯部９１６ａの先端部と、第一日ジャンパ９１４の規正部９１４ｃと９１４ｄが交差する先端部とが接触する状態になる。この状態では、第１カレンダ桁送り歯９１８ａは日中間歯９３０ａに接触しない。したがって、第一日車９１２が図３９に示す状態になるまで回転しても、第二日車９２２は回転しない。
【００３１】
（Ａ・６）第一日車が逆方向にさらに回転させた状態
図４０は、本発明の基礎技術を構成するカレンダ機構付き時計において、第一日車が逆方向にさらに回転させた状態における、文字板側から見たムーブメントの裏側の構造を示す部分平面図である。図４０を参照すると、図３９に示す状態からさらに日回し車９１０が矢印で示す方向に回転して、日回し歯９１０ａが第一日車９１２を矢印で示す方向に回転させると、第一日ジャンパ９１４の弾性力により、第一日車９１２は、図３８に示す状態から反時計回り方向に（（３６０／３１）−α）度回転した位置に位置決めされる。しかしながら、第二日車９２２は、図３８に示す状態から時計回り方向にわずかな角度回転するだけである。そして、図４１を参照すると、第二日ジャンパ９２４の弾性力により、第二日車９２２は、反時計回り方向に回転して、図４１に示す状態でばねバランスがとれてしまい、正規の日付を表示することができない。なお、本発明の基礎技術を構成するカレンダ機構付き時計では、日回し車９１０が矢印で示す方向（反時計回り方向）に回転して、第一日車９１２を逆方向（反時計回り方向）に回転させて、第二日車９２２を逆方向（時計回り方向）に回転させるために、カレンダ機構を構成する部品の寸法、形状を工夫する必要が生じている。
【００３２】
（１）本発明のカレンダ機構付き時計の第１の実施の形態の構造
以下に、本発明のカレンダ機構付き時計の第１の実施の形態について説明する。
（１・１）ムーブメントの全体構成
図１〜図４を参照すると、本発明のカレンダ機構付き時計の第１の実施の形態において、ムーブメント１００はアナログ電子時計で構成される。ムーブメント１００は、ムーブメント１００の基板を構成する地板１０２と、日車押え３０２と、カレンダ裏板３０４とを含む。文字板１０４が文字板受けリング１０６を介してムーブメント１００に取付けられる。文字板１０４はムーブメント１００の文字板側に取付けられる。ムーブメント１００において、「表側」とは、地板１０２の両面のうちで、文字板１０４から遠い方の側、すなわち、「裏蓋側」を示す。ムーブメント１００において、「裏側」とは、地板１０２の両面のうちで、文字板１０４に近い方の側、すなわち、「文字板側」を示す。日車押え３０２と、カレンダ裏板３０４は、ムーブメント１００において、「裏側」に配置される。巻真１１０が、地板１０２に回転可能に組み込まれる。巻真１１０は角部１１０ａを有する。つづみ１１４が巻真１１０の角部１１０ａに組み込まれる。つづみ車１１４は巻真１１０の回転軸線と同一の回転軸線を有する。すなわち、つづみ車１１４は角穴を有し、この角穴が角部１１０ａに嵌め合うことにより、巻真１１０の回転に基づいて回転するように設けられる。切換装置は、おしどり１２２と、かんぬき１２４と、かんぬき押え１２５とを含む。切換装置は、ムーブメント１００において、「表側」に配置される。切換装置は、ムーブメント１００において、「裏側」に配置することもできる。
【００３３】
（１・２）ムーブメントの表側の構成
以下に、ムーブメントの表側の構成について説明する。図２〜図４、図２５を参照すると、ムーブメント１００において、時計の動力源を構成する電池１４０が、地板１０２の裏蓋側（表側）に配置される。時計の源振を構成する水晶ユニット７５０が地板１０２の裏蓋側に配置される。例えば、３２，７６８ヘルツで発振する水晶振動子が、水晶ユニット７５０に収容されている。水晶振動子の振動に基づいて基準信号を出力する発振部（オシレータ）７０２と、発振部７０２の出力信号を分周して、モータおよび超音波モータの動作の制御を行う分周制御部７０４と、分周制御部７０４の出力信号に基づいてステップモータを駆動するモータ駆動信号を出力するモータ駆動部（ドライバ）７０６とが、集積回路（ＩＣ）７５４に内蔵されている。集積回路７５４は、例えば、Ｃ−ＭＯＳ又はＰＬＡで構成される。集積回路７５４をＣ−ＭＯＳで構成した場合には、発振部７０２と、分周制御部７０４と、モータ駆動部７０６とは、集積回路７５４に内蔵される。集積回路７５４をＰＬＡで構成した場合には、発振部７０２と、分周制御部７０４と、モータ駆動部７０６とは、ＰＬＡに記憶されているプログラムにより動作するように構成される。
【００３４】
水晶ユニット７５０と集積回路７５４とは回路基板７１０に固定される。回路基板７１０と、水晶ユニット７５０と、集積回路７５４とが回路ブロック７１２を構成する。回路ブロック７１２は、地板１０２の裏蓋側に配置される。さらに、本発明のカレンダ付き時計では、必要に応じて、抵抗、コンデンサ、コイル、ダイオードなどの外付け素子（７１２ａ〜７１２ｅなど）を用いることができる。電池１４０は、絶縁板７１４を介して回路ブロック７１２の裏蓋側に配置される。磁心に巻いたコイルワイヤを含むコイルブロック７３０と、コイルブロック７３０の磁心の両端部分と接触するように配置されたステータ７３２と、ステータ７３２のロータ穴７３２ｃに配置されたロータ磁石（図示せず）を含むロータ７３４とが、地板１０２の裏蓋側に配置される。コイルブロック７３０と、ステータ７３２と、ロータ７３４とは、ステップモータを構成する。ロータ７３４の回転により、五番車１４１が回転するように構成される。五番車１４１の回転により、四番車１４２が回転するように構成される。四番車１４２の回転により、三番車１４４が回転するように構成される。三番車１４４の回転により、二番車１４６が回転するように構成される。二番車１４６の回転により、日の裏車１４８が回転するように構成される。
【００３５】
四番車１４２は１分間に１回転するように構成されている。秒針１６０が四番車１４２に取付けられる。二番車１４６は１時間に１回転するように構成されている。分針１６２が二番車１４６に取付けられる。筒車１８０は１２時間に１回転するように構成されている。時針１６４が筒車１８０の時表示車１８８に取付けられる。スリップ機構が二番車１４６に設けられている。スリップ機構により、針合わせをするときに、秒針１６０を停止させた状態で、巻真１１０を回転させることにより、分針１６２及び時針１６４を回転させることができる。針合わせをするときに、四番車１４２を規正レバー（図示せず）により規正して秒針１６０を停止させるのがよい。中心パイプ１０２ｃが地板１０２に固定されている。中心パイプ１０２ｃは地板１０２の裏蓋側から地板１０２の文字板側に延びている。二番車１４６は、中心パイプ１０２ｃの穴部の中に回転可能に支持されている。四番車１４２のそろばん玉は、二番車１４６の穴部の中に回転可能に支持されている。輪列受１５８が、地板１０２の裏蓋側に配置される。ロータ７３４の上軸部、五番車１４１の上軸部、四番車１４２の上軸部、三番車１４４の上軸部、日の裏車１４８の上軸部は、輪列受１５８に回転可能に支持される。ロータ７３４の下軸部、五番車１４１の下軸部、三番車１４４の下軸部、日の裏車１４８の下軸部は、地板１０２に回転可能に支持される。
【００３６】
（１・３）時表示輪列の構成
以下に、時表示輪列の構成について説明する。図３、図４および図２５を参照すると、ムーブメント１００において、筒車１８０が日の裏車１４８の回転により回転するように構成される。筒車１８０は、筒歯車１８２と、時ジャンパ１８４と、時ジャンパかな１８６と、時表示車１８８と、接点作動車１８９とを含む。筒歯車１８２と、時ジャンパ１８４と、時ジャンパかな１８６と、時表示車１８８と、接点作動車１８９は、一体になって回転するように構成される。筒車１８０は１２時間に１回転する。筒車１８０の時表示車１８８に取り付けた時針１６４により、１周が１２時間となる「１２時制」で「時」を表示する。２４時接点車２１０が接点作動車１８９の回転により回転するように構成される。２４時接点車２１０は２４時接点ばね２１２を有する。２４時接点ばね２１２は、回路ブロック７１２の２４時接点パターン７１２ｃと接触可能に配置されている。２４時中間車２２０は筒車１８０の回転により回転するように構成される。２４時筒車２２２は２４時中間車２２０の回転により回転するように構成される。２４時筒車２２２は１日（２４時間）に１回転する。２４時筒車２２２に取り付けた２４時針２２４により、１周が２４時間となる「２４時制」で「時」を表示する。
【００３７】
（１・４）切換機構、針合わせ機構の構成
以下に、切換機構、針合わせ機構の構成について説明する。図２、図３及び図２５を参照すると、ムーブメント１００において、おしどり１２２が地板１０２の表側に回転可能に配置される。かんぬき１２４が地板１０２の表側に回転可能に配置される。かんぬき１２４は、かんぬきばね部（図示せず）のばね力により、おしどり１２２の先端部に押し付けられるように付勢されている。かんぬき押さえ１２５が、おしどり１２２及びかんぬき１２４を押さえるように設けられる。おしどり１２２に設けられたおしどり位置決めピンが、かんぬきのおしどり位置決め山形部に係合し、おしどり１２２の回転方向の位置を決める。おしどり１２４の巻真案内部は巻真１１０のおしどり受け入れ部に係合して、おしどり１２２の回転に基づいて巻真１１０の軸線方向の位置を決める。おしどり１２２は、巻真１１０を３つの軸線方向の位置（０段目、１段目、２段目）に位置決めするように構成される。かんぬき１２４のつづみ車案内部がつづみ車１１４の段部に係合して、かんぬき１２４の回転に基づいてつづみ車１１４の回転軸線方向の位置を決める。おしどり１２２の回転に基づいて、かんぬき１２４は３つの回転方向の位置に位置決めされる。
【００３８】
日の裏車１４８の日の裏歯車（図示せず）は、小鉄車１５５と噛み合うように配置される。小鉄車１５５は、地板１０２と輪列受１５８との間に配置される。日の裏車１４８の日の裏かな（図示せず）は、地板１０２の文字板側に位置し、筒歯車１８２と噛み合うように構成される。筒車１８０の時ジャンパかな１８６の穴部は、中心パイプ１０２ｃの軸部分の外周部に回転可能に支持される。針座３０６が、２４時筒車２２２と時表示車１８８との間に配置される。つづみ車１１４は甲歯１１４ａと、乙歯１１４ｂとを有する。甲歯１１４ａはムーブメント１００の中心に近い方（内側）のつづみ車１１４の端部に設けられる。乙歯１１４ｂはムーブメント１００の中心から遠い方（外側）のつづみ車１１４の端部に設けられる。例えば、乙歯１１４ｂの歯数は２である。巻真１１０が「０段目」にある状態では、つづみ車１１４はムーブメントに対して中間の第１の位置にあり、巻真１１０が「１段目」にある状態では、つづみ車１１４はムーブメントの外側に近い第２の位置にあり、巻真１１０が「２段目」にある状態で、つづみ車１１４はムーブメントの内側に近い第３の位置にあるように構成される。小鉄車１５５は、巻真１１０が「０段目」にある状態及び「１段目」にある状態で、つづみ車１１４の甲歯１１４ａと噛み合わず、巻真１１０が「２段目」にある状態で、つづみ車１１４の甲歯１１４ａと噛み合うように構成される。
【００３９】
（１・５）超音波モータの構成
以下に、超音波モータの構成について説明する。図２、図４および図２５を参照すると、ムーブメント１００において、超音波モータ２４０は超音波ロータ２４２と、超音波ステータ２４４と、超音波ロータ押えばね２４６とを含む。超音波ロータ軸２４８が輪列受１５８に固定される。超音波ステータ２４４は、輪列受１５８と地板１０２との間に位置する。超音波ロータ２４２は地板１０２の穴の中に位置する。超音波ロータ押えばね２４６は、地板１０２の文字板側に位置する。超音波ロータ２４２は超音波ロータ軸２４８に回転可能に組み込まれる。超音波ロータ押えばね２４６の弾性力により、超音波ロータ２４２は超音波ステータ２４４に押し付けられるように構成される。超音波ロータ２４２は、超音波ロータかな２４２ｂを含む。
【００４０】
（１・６）第一日車送り機構の構成
以下に、第一日車送り機構の構成について説明する。図１〜図４および図２５を参照すると、ムーブメント１００において、日送り機構は、日回し中間車３０８と、日回し車３１０と、第一日ジャンパ３１４とを含む。日回し中間車３０８は、日回し中間歯車３０８ａと、日回し中間かな３０８ｂとを含む。日回し車３１０は、日回し歯車３１０ｃと、４個の日回し歯３１０ａとを含む。日回し歯３１０ａは２つ設けてもよいし、或いは、３つ以上設けてもよい。超音波ロータかな２４２ｂは、日回し中間車３０８の日回し中間歯車３０８ａと噛み合う。日回し中間車３０８の日回し中間かな３０８ｂは、日回し車３１０の日回し歯車３１０ｃと噛み合う。超音波ロータ２４２が回転することにより、日回し中間車３０８が回転するように構成される。日回し中間車３０８が回転することにより、日回し車３１０が回転するように構成される。第一日車３１２がカレンダ裏板３０４に回転可能に組み込まれる。第一日ジャンパ３１４はカレンダ裏板３０４に組み込まれる。第一日ジャンパ３１４は、ばね部３１４ｂと、ばね部の先端に設けられた規正部３１４ｃ、３１４ｄとを含む。第一日ジャンパ３１４の規正部３１４ｃ、３１４ｄは第一日車３１２の歯部を規正する。日回し車３１０が９０度回転することにより、第一日車３１２が、１ピッチ（１歯）分だけ回転するように構成される。日回し車３１０は日回し車接点ばね３２０を有する。日回し車接点ばね３２０は、回路ブロック７１２の日回し車接点パターン７１２ｄと接触可能に配置される。
【００４１】
（１・７）カレンダ機構の構成
（１・７・１）第一日車、第二日車の構成
以下に、本発明のカレンダ機構付き時計のカレンダ機構の構成について説明する。図５は、本発明のカレンダ機構付き時計において、第一日車３１２を正方向（時計回り方向）に回転させようとしている状態における、文字板側から見たムーブメントの裏側の構造を示す部分平面図である。図３、図５および図２５を参照すると、ムーブメント１００は、日回し中間車３０８の回転により回転する日回し車３１０と、日付のうちの一の位を表示する第一日車３１２と、第一日車３１２の回転方向の位置を規正するための第一日ジャンパ３１４と、日付のうちの十の位を表示する第二日車３２２と、第二日車３２２の回転方向の位置を規正するための第二日ジャンパ３２４と、第一日車３１２の回転に基づいて回転して第二日車３２２を回転させることができる日中間車３３０とを備える。第一日車３１２はカレンダ裏板３０４に対して回転可能に設けられる。第二日車３２２は筒車１８０に対して回転可能に設けられる。第一日車３１２の回転中心と、第二日車３２２の回転中心は同一の位置にある。すなわち、第一日車３１２の回転中心と、第二日車３２２の回転中心は、時針１６４の回転中心（すなわち、筒車１８０の回転中心）と同じ位置に配置される。日中間車３３０は、日車押えに固定された日中間車ピン３３４に対して回転可能に設けられる。第一日ジャンパ３１４の規正部３１４ｃ、３１４ｄが第一日車３１２の歯部を規正する。
【００４２】
図６を参照すると、文字板１０４の１２時位置に日窓１０４ｆが形成される構成の場合、第一日車３１２はリング形状の第一日文字表示面３１２ｆを備える。第一日車３１２は、内歯として形成された３１個の第一日車歯部３１６と、内歯として形成された４個のカレンダ桁送り歯３１８とを含む。第一日車歯部３１６は、等しい角度の間隔、すなわち（３６０／３１）度の間隔で形成される。カレンダ桁送り歯３１８は、基準となる第１カレンダ桁送り歯３１８ａと、第１カレンダ桁送り歯３１８ａを基準として時計回り方向に（３６０＊２／３１）度の間隔で形成された第２カレンダ桁送り歯３１８ｂと、第２カレンダ桁送り歯３１８ｂを基準として時計回り方向に（３６０＊１０／３１）度の間隔で形成された第３カレンダ桁送り歯３１８ｃと、第１カレンダ桁送り歯３１８ａを基準として反時計回り方向に（３６０＊９／３１）度の間隔で形成された第４カレンダ桁送り歯３１８ｄとからなる。
【００４３】
第１カレンダ桁送り歯３１８ａは、第一日車３１２を第一方向（すなわち、時計回り方向）に送るための正転送り部３１８ａｆと、第一日車３１２を、前記第一方向と反対の第二方向（すなわち、反時計回り方向）に送るための逆転送り部３１８ａｂとを備える。第２カレンダ桁送り歯３１８ｂは、第一日車３１２を第一方向（すなわち、時計回り方向）に送るための正転送り部３１８ｂｆと、第一日車３１２を、前記第一方向と反対の第二方向（すなわち、反時計回り方向）に送るための逆転送り部３１８ｂｂとを備える。第３カレンダ桁送り歯３１８ｃは、第一日車３１２を第一方向（すなわち、時計回り方向）に送るための正転送り部３１８ｃｆと、第一日車３１２を、前記第一方向と反対の第二方向（すなわち、反時計回り方向）に送るための逆転送り部３１８ｃｂとを備える。第４カレンダ桁送り歯３１８ｄは、第一日車３１２を第一方向（すなわち、時計回り方向）に送るための正転送り部３１８ｄｆと、第一日車３１２を、前記第一方向と反対の第二方向（すなわち、反時計回り方向）に送るための逆転送り部３１８ｄｂとを備える。図６において、第一日車３１２の回転中心を「ＣＤＡ」と定義し、「ＣＤＡ」と第１カレンダ桁送り歯３１８ａの回転方向における中心部とを通る直線を「ＬＤＨ」と定義する。第１カレンダ桁送り歯３１８ａにおいて、正転送り部３１８ａｆと、逆転送り部３１８ａｂとは、「ＬＤＨ」を基準として線対称の形状に形成される。４つのカレンダ桁送り歯３１８ａ〜３１８ｄは、それぞれ、同じ寸法、形状に形成される。
【００４４】
３１個の数字からなる第一日文字３１２ｈが第一日文字表示面３１２ｆに設けられる。第一日文字３１２ｈは、４組の数字を含む。すなわち、第一日文字は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。すなわち、第一日文字３１２ｈは、「１」、「１」、「２」、「３」、「４」、「５」、「６」、「７」、「８」、「９」、「０」、「１」、「２」、「３」、「４」、「５」、「６」、「７」、「８」、「９」、「０」、「１」、「２」、「３」、「４」、「５」、「６」、「７」、「８」、「９」、「０」の３１個の数字を含む。第一日文字３１２ｈを構成する３１個の数字は、等しい角度の間隔、すなわち（３６０／３１）度の間隔で第一日文字表示面３１２ｆに配置される。図６に示す状態では、第一日文字３１２ｈのうちの隣接して配置された「１」と「１」とが文字板１０４に設けられた日窓１０４ｆに配置される。切り欠き部３１２ｋが、第一日文字表示面３１２ｆの外周部において、第一日文字３１２ｈのうちの隣接して配置された「１」と「１」との間の位置に対応するように形成される。
【００４５】
図５および図７を参照すると、第二日車３２２は、切り欠きを設けた円盤形状の第二日文字表示面３２２ｆを備える。第二日文字表示面３２２ｆは、（３６０／１２）度の間隔で形成された１２個の台形部分３２２ｊと、（３６０／１２）度の間隔で形成された１２個の切り欠き部３２２ｋとを含む。第二日車３２２は、さらに、外歯として形成された１２個の位置決め歯部３２６と、外歯として形成された１２個の送り歯３２８とを含む。位置決め歯部３２６は、等しい角度の間隔、例えば（３６０／１２）度の間隔で形成される。送り歯３２８は、等しい角度の間隔、例えば（３６０／１２）度の間隔で形成される。「１」、「２」、「３」、「０」からなる第二日文字３２２ｈが第二日文字表示面３２２ｆに設けられる。「１」の数字と「２」の数字は、３０度の間隔で第二日文字表示面３２２ｆに配置される。「２」の数字と「３」の数字は、３０度の間隔で第二日文字表示面３２２ｆに配置される。「３」の数字と「０」の数字は、３０度の間隔で第二日文字表示面に配置される。したがって、第二日文字表示面３２２ｆには、「１」の数字と、「２」の数字と、「３」の数字と、「０」の数字が、互いに３０度の間隔をなすように配置される。第二日文字表示面３２２ｆには、「１」の数字と、「２」の数字と、「３」の数字と、「０」の数字からなる数字の組が３組設けられる。或いは、「０」の数字を設ける代わりに、その位置を「白紙」の部分（すなわち、何の数字も設けられていない無地の部分）とする構成も可能である。図７に示す状態では、第二日文字３２２ｈのうちの「３」が文字板１０４に設けられた日窓１０４ｆの左側の部分に配置される。
【００４６】
図３を参照すると、第二日文字表示面３２２ｆは、第一日文字表示面３１２ｆよりも文字板１０４に近い位置に配置される。図８を参照すると、本発明のカレンダ機構付き時計のコンプリート３００では、文字板１０４の１２時位置に日窓１０４ｆが形成されている。コンプリート３００において、文字板１０４の日窓１０４ｆの中の左側の部分には、第二日車３２２の第二日文字３２２ｈのうちの「３」が配置され、日窓１０４ｆの中の右側の部分には、第二日車３２２の切り欠き部３２２ｋと、第一日文字３１２ｈのうちの「１」が配置される。したがって、コンプリート３００は「３１」日を表示している。
【００４７】
図９を参照すると、文字板１０４の６時位置に日窓１０４ｇが形成される構成の場合、第一日車３５２はリング形状の第一日文字表示面３５２ｆを備える。第一日車３５２は、内歯として形成された３１個の第一日車歯部３５６と、内歯として形成された４個のカレンダ桁送り歯３５８とを含む。第一日車歯部３５６は、等しい角度の間隔、すなわち（３６０／３１）度の間隔で形成される。カレンダ桁送り歯３５８は、基準となる第１カレンダ桁送り歯３５８ａと、第１カレンダ桁送り歯３５８ａを基準として時計回り方向に（３６０＊２／３１）度の間隔で形成された第２カレンダ桁送り歯３５８ｂと、第２カレンダ桁送り歯３５８ｂを基準として時計回り方向に（３６０＊１０／３１）度の間隔で形成された第３カレンダ桁送り歯３５８ｃと、第１カレンダ桁送り歯３５８ａを基準として反時計回り方向に（３６０＊９／３１）度の間隔で形成された第４カレンダ桁送り歯３５８ｄとからなる。３１個の数字からなる第一日文字３５２ｈが第一日文字表示面３５２ｆに設けられる。第一日文字３５２ｈは、４組の数字を含む。すなわち、第一日文字は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。第一日文字３５２ｈを構成する３１個の数字は、等しい角度の間隔、すなわち（３６０／３１）度の間隔で第一日文字表示面３５２ｆに配置される。図９に示す状態では、第一日文字３５２ｈのうちの隣接して配置された「１」と「１」とが文字板１０４に設けられた日窓１０４ｇに配置される。切り欠き部３５２ｋが、第一日文字表示面３５２ｆの外周部において、第一日文字３５２ｈのうちの隣接して配置された「１」と「１」に対して、第一日車３５２の中心と反対の位置にある「６」の位置に対応するように形成される。
【００４８】
図１０を参照すると、第二日車３６２は、切り欠きを設けた円盤形状の第二日文字表示面３６２ｆを備える。第二日文字表示面３６２ｆは、（３６０／１２）度の間隔で形成された１２個の台形部分３６２ｊと、（３６０／１２）度の間隔で形成された１２個の切り欠き部３６２ｋとを含む。第二日車３６２は、さらに、外歯として形成された１２個の位置決め歯部３６６と、外歯として形成された１２個の送り歯３６８とを含む。位置決め歯部３６６は、等しい角度の間隔、例えば（３６０／１２）度の間隔で形成される。送り歯３６８は、等しい角度の間隔、例えば（３６０／１２）度の間隔で形成される。「１」、「２」、「３」、「０」からなる第二日文字３６２ｈが第二日文字表示面３６２ｆに設けられる。「１」の数字と「２」の数字は、３０度の間隔で第二日文字表示面３６２ｆに配置される。「２」の数字と「３」の数字は、３０度の間隔で第二日文字表示面３６２ｆに配置される。「３」の数字と「０」の数字は、３０度の間隔で第二日文字表示面に配置される。したがって、第二日文字表示面３６２ｆには、「１」の数字と、「２」の数字と、「３」の数字と、「０」の数字が、互いに３０度の間隔をなすように配置される。第二日文字表示面３６２ｆには、「１」の数字と、「２」の数字と、「３」の数字と、「０」の数字からなる数字の組が３組設けられる。或いは、「０」の数字を設ける代わりに、その位置を「白紙」の部分（すなわち、何の数字も設けられていない無地の部分）とする構成も可能である。図１０に示す状態では、第二日文字３６２ｈのうちの「３」が文字板１０４に設けられた日窓１０４ｇの左側の部分に配置される。
【００４９】
図１１を参照すると、本発明のカレンダ機構付き時計のコンプリート３５０では、文字板１０４の６時位置に日窓１０４ｇが形成されている。コンプリート３５０において、文字板１０４の日窓１０４ｇの中の左側の部分には、第二日車３６２の第二日文字３６２ｈのうちの「３」が配置され、日窓１０４ｇの中の右側の部分には、第二日車３６２の切り欠き部３６２ｋと、第一日文字３５２ｈのうちの「１」が配置される。したがって、コンプリート３５０は「３１」日を表示している。
【００５０】
図１２を参照すると、文字板１０４の３時位置に日窓１０４ｈが形成される構成の場合、第一日車３７２はリング形状の第一日文字表示面３７２ｆを備える。第一日車３７２は、内歯として形成された３１個の第一日車歯部３７６と、内歯として形成された４個のカレンダ桁送り歯３７８とを含む。第一日車歯部３７６は、等しい角度の間隔、すなわち（３６０／３１）度の間隔で形成される。カレンダ桁送り歯３７８は、基準となる第１カレンダ桁送り歯３７８ａと、第１カレンダ桁送り歯３７８ａを基準として時計回り方向に（３６０＊２／３１）度の間隔で形成された第２カレンダ桁送り歯３７８ｂと、第２カレンダ桁送り歯３７８ｂを基準として時計回り方向に（３６０＊１０／３１）度の間隔で形成された第３カレンダ桁送り歯３７８ｃと、第１カレンダ桁送り歯３７８ａを基準として反時計回り方向に（３６０＊９／３１）度の間隔で形成された第４カレンダ桁送り歯３７８ｄとからなる。３１個の数字からなる第一日文字３７２ｈが第一日文字表示面３７２ｆに設けられる。第一日文字３７２ｈは、４組の数字を含む。すなわち、第一日文字は、第１組の第一日文字を構成する「１」から「９」および「０」の数字と、第２組の第一日文字を構成する「１」から「９」および「０」の数字と、第３組の第一日文字を構成する「１」から「９」および「０」の数字と、第４組の第一日文字を構成する「１」の数字とを含む。第一日文字３７２ｈを構成する３１個の数字は、等しい角度の間隔、すなわち（３６０／３１）度の間隔で第一日文字表示面３７２ｆに配置される。図９に示す状態では、第一日文字３７２ｈのうちの隣接して配置された「１」と「１」とが文字板１０４に設けられた日窓１０４ｈに配置される。切り欠き部３７２ｋが、第一日文字表示面３７２ｆの外周部において、第一日文字３１２ｈのうちの隣接して配置された「１」と「１」に対して、反時計回り方向の位置にある「８」の位置に対応するように形成される。
【００５１】
図１３を参照すると、第二日車３８２は、円盤形状の第二日文字表示面３８２ｆを備える。第二日文字表示面３８２ｆの外径は、第一日文字表示面３７２ｆの日文字を配置した領域の大きさよりも小さいように構成される。第二日車３８２は、外歯として形成された１２個の位置決め歯部３８６と、外歯として形成された１２個の送り歯３８８とを含む。位置決め歯部３８６は、等しい角度の間隔、例えば（３６０／１２）度の間隔で形成される。送り歯３８８は、等しい角度の間隔、例えば（３６０／１２）度の間隔で形成される。「１」、「２」、「３」、「０」からなる第二日文字３８２ｈが第二日文字表示面３８２ｆに設けられる。「１」の数字と「２」の数字は、３０度の間隔で第二日文字表示面３８２ｆに配置される。「２」の数字と「３」の数字は、３０度の間隔で第二日文字表示面３８２ｆに配置される。「３」の数字と「０」の数字は、３０度の間隔で第二日文字表示面に配置される。したがって、第二日文字表示面３８２ｆには、「１」の数字と、「２」の数字と、「３」の数字と、「０」の数字が、互いに３０度の間隔をなすように配置される。第二日文字表示面３８２ｆには、「１」の数字と、「２」の数字と、「３」の数字と、「０」の数字からなる数字の組が３組設けられる。或いは、「０」の数字を設ける代わりに、その位置を「白紙」の部分（すなわち、何の数字も設けられていない無地の部分）とする構成も可能である。図１３に示す状態では、第二日文字３８２ｈのうちの「３」が文字板１０４に設けられた日窓１０４ｈの左側の部分に配置される。
【００５２】
図１４を参照すると、本発明のカレンダ機構付き時計のコンプリート３７０では、文字板１０４の３時位置に日窓１０４ｈが形成されている。コンプリート３７０において、文字板１０４の日窓１０４ｈの中の左側の部分には、第二日車３８２の第二日文字３８２ｈのうちの「３」が配置され、日窓１０４ｈの中の右側の部分には、第二日車３６２はなく、第一日文字３７２ｈのうちの「１」が配置される。したがって、コンプリート３７０は「３１」日を表示している。
【００５３】
（１・７・２）第一日車を正方向に回転させようとしている状態
図１５は、本発明のカレンダ機構付き時計において、第一日車３１２を正方向（時計回り方向）に回転させようとしている状態における、文字板側から見たムーブメント１００の裏側の構造を示す部分平面図である。図１５において、第二日車３２２の回転中心を「ＣＤＡ」と定義し、日中間車３３０の回転中心を「ＣＭＤ」と定義し、「ＣＤＡ」と「ＣＭＤ」とを通る直線を「ＬＤＭ」と定義する。第二日ジャンパ３２４の規正部３２４ｃ、３２４ｄが位置決め歯部３２６を規正する。日回し車３１０は外歯として形成された４個の日回し歯３１０ａを含む。日回し車３１０が矢印で示す方向（時計回り方向）に回転することにより、日回し歯３１０ａは第一日車歯部３１６を送り、１日に１度、第一日車３１２を時計回り方向に（３６０／３１）度回転させる。日中間車３３０は外歯として形成された９個の日中間歯３３０ａを含む。第一日車３１２により日窓から表示される日文字が「９」から「０」（または、「白紙」の状態）に変わるとき、第一日車３１２が時計回り方向に（３６０／３１）度回転することにより、第２カレンダ桁送り歯３１８ｂ、または第３カレンダ桁送り歯３１８ｃ、または第４カレンダ桁送り歯３１８ｄの正転送り部は、日中間歯３３０ａを回転させ、日中間歯３３０ａが送り歯３２８を回転させて、１０日ごとに１度、第二日車３２２を反時計回り方向に３０度回転させる。第二日車３２２により日窓から表示される日文字が「３」から「０」（または、「白紙」の状態）に変わり、かつ、第一日車３１２により日窓から表示される日文字が「１」から隣接する次の「１」に変わるとき、第一日車３１２が時計回り方向に（３６０／３１）度回転することにより、第１カレンダ桁送り歯３１８ａの正転送り部３１８ａｆは日中間歯３３０ａを回転させ、日中間歯３３０ａが送り歯３２８を回転させて、３１日ごとに１度、第二日車３２２を反時計回り方向に３０度回転させる。
【００５４】
（１・７・３）第一日車を正方向に回転させている状態
図１６は、本発明のカレンダ機構付き時計において、第一日車３１２を正方向に回転させている状態で、第一日車３１２が正方向に回転して、第一日車３１２の歯部３１６ａの先端部と、第一日ジャンパ３１４の規正部３１４ｃと３１４ｄが交差する先端部とが接触している状態における、文字板側から見たムーブメント１００の裏側の構造を示す部分平面図である。図１６を参照すると、第一日車３１２の表示が「１」であり、第二日車３２２の表示が「３」であるとき、日回し車３１０は矢印で示す方向に回転して、日回し歯３１０ａは第一日車３１２を矢印で示す方向に回転させる。この第一日車３１２の送り状態の途中で、第一日車３１２の歯部３１６ａの先端部と、第一日ジャンパ３１４の規正部３１４ｃと３１４ｄが交差する先端部とが接触する状態になる。また、第一日車３１２が矢印で示す方向に回転することにより、第１カレンダ桁送り歯３１８ａの正転送り部３１８ａｆは日中間歯３３０ａを回転させ、日中間歯３３０ａが送り歯３２８を回転させて、第二日車３２２を反時計回り方向に矢印で示す方向に回転させる。この第二日車３２２の送り状態の途中で、第二日車３２２の位置決め歯部３２６ａの先端部と、第二日ジャンパ３２４の規正部３２４ｃと３２４ｄが交差する先端部とが接触する状態になる。
【００５５】
（１・７・４）第一日車が正方向に１ピッチ回転した状態
図１７は、本発明のカレンダ機構付き時計において、第一日車３１２が正方向に１ピッチ（第一日車の１歯分、すなわち、（３６０／３１）度だけ）回転した状態における、文字板側から見たムーブメントの裏側の構造を示す部分平面図である。図１７を参照すると、図１６に示す状態からさらに日回し車３１０が矢印で示す方向に回転して、日回し歯３１０ａが第一日車３１２を矢印で示す方向に回転させると、第一日ジャンパ３１４の弾性力により、第一日車３１２は、図１５に示す状態から時計回り方向に（３６０／３１）度回転した位置に位置決めされる。また、第二日ジャンパ３２４の弾性力により、第二日車３２２は、図１５に示す状態から反時計回り方向に３０度回転した位置に位置決めされる。その結果、第二日車３２２の表示が「３」から「０」（または、「白紙」の状態）に変わり、かつ、第一日車３１２の表示が「１」から隣接する次の「１」に変わる。すなわち、図１７に示す状態では、カレンダ機構付き時計の文字板の日窓には、第二日車３２２の表示が「０」（または、「白紙」の状態）で、第一日車３１２の表示が「１」である「１日」が表示される。図１７に示す状態における日回し歯３１０ａの逆転送り部３１８ａｂと日中間歯３３０ａとは、図１５に示す状態における日回し歯３１０ａの正転送り部３１８ａｆと日中間歯３３０ａとに対し、「ＬＤＭ」を基準線とした線対称の関係に構成される。すなわち、第一日車３１２を時計回り方向（正方向）に送る前の状態における第１カレンダ桁送り歯３１８ａの配置と、第一日車３１２を時計回り方向（正方向）に送り終えた状態における第１カレンダ桁送り歯３１８ａの配置とは、「ＬＤＭ」を基準線とした線対称の関係に構成される。
【００５６】
（１・７・５）第一日車を逆方向に回転させようとしている状態
図１８は、本発明のカレンダ機構付き時計において、第一日車３１２を逆方向（反時計回り方向）に回転させようとしている状態における、文字板側から見たムーブメント１００の裏側の構造を示す部分平面図である。図１８を参照すると、第二日ジャンパ３２４の規正部３２４ｃ、３２４ｄが位置決め歯部３２６を規正する。日回し車３１０が矢印で示す方向（反時計回り方向）に回転することにより、日回し歯３１０ａは第一日車歯部３１６を送り、第一日車３１２を時計回り方向に（３６０／３１）度回転させる。第一日車３１２により日窓から表示される日文字が「０」（または、「白紙」の状態）から「９」に戻るとき、第一日車３１２が反時計回り方向に（３６０／３１）度回転することにより、第２カレンダ桁送り歯３１８ｂ、または第３カレンダ桁送り歯３１８ｃ、または第４カレンダ桁送り歯３１８ｄの逆転送り部は日中間歯３３０ａを回転させ、日中間歯３３０ａが送り歯３２８を回転させて、第二日車３２２を時計回り方向に３０度回転させる。第二日車３２２により日窓から表示される日文字が「０」（または、「白紙」の状態）から「３」に戻り、かつ、第一日車３１２により日窓から表示される日文字が「１」から隣接する次の「１」に戻るとき、第一日車３１２が反時計回り方向に（３６０／３１）度回転することにより、第１カレンダ桁送り歯３１８ａの逆転送り部３１８ａｂは日中間歯３３０ａを回転させ、日中間歯３３０ａが送り歯３２８を回転させて、第二日車３２２を時計回り方向に３０度回転させる。
【００５７】
（１・７・６）第一日車を逆方向に回転させている状態
図１９は、本発明のカレンダ機構付き時計において、第一日車３１２を逆方向に回転させている状態で、第一日車３１２が逆方向に回転して、第一日車３１２の歯部３１６ａの先端部と、第一日ジャンパ３１４の規正部３１４ｃと３１４ｄが交差する先端部とが接触している状態における、文字板側から見たムーブメント１００の裏側の構造を示す部分平面図である。図１９を参照すると、第一日車３１２の表示が「１」であり、第二日車３２２の表示が「０」（または、「白紙」の状態）であるとき、日回し車３１０は矢印で示す方向に回転して、日回し歯３１０ａは第一日車３１２を矢印で示す方向に回転させる。この第一日車３１２の送り状態の途中で、第一日車３１２の歯部３１６ａの先端部と、第一日ジャンパ３１４の規正部３１４ｃと３１４ｄが交差する先端部とが接触する状態になる。また、第一日車３１２が矢印で示す方向に回転することにより、第１カレンダ桁送り歯３１８ａの逆転送り部３１８ａｂは日中間歯３３０ａを回転させ、日中間歯３３０ａが送り歯３２８を回転させて、第二日車３２２を時計回り方向に矢印で示す方向に回転させる。この第二日車３２２の送り状態の途中で、第二日車３２２の位置決め歯部３２６ａの先端部と、第二日ジャンパ３２４の規正部３２４ｃと３２４ｄが交差する先端部とが接触する状態になる。
【００５８】
（１・７・７）第一日車が逆方向に１ピッチ回転した状態
図２０は、本発明のカレンダ機構付き時計において、第一日車３１２が逆方向に１ピッチ（第一日車の１歯分、すなわち、（３６０／３１）度だけ）回転した状態における、文字板側から見たムーブメントの裏側の構造を示す部分平面図である。図２０を参照すると、図１９に示す状態からさらに日回し車３１０が矢印で示す方向に回転して、日回し歯３１０ａが第一日車３１２を矢印で示す方向に回転させると、第一日ジャンパ３１４の弾性力により、第一日車３１２は、図１８に示す状態から反時計回り方向に（３６０／３１）度回転した位置に位置決めされる。また、第二日ジャンパ３２４の弾性力により、第二日車３２２は、図１８に示す状態から反時計回り方向に３０度回転した位置に位置決めされる。その結果、第二日車３２２の表示が「０」（または、「白紙」の状態）から「３」に戻り、かつ、第一日車３１２の表示が「１」から隣接する次の「１」に戻る。すなわち、図２０に示す状態では、カレンダ機構付き時計の文字板の日窓には、第二日車３２２の表示が「３」で、第一日車３１２の表示が「１」である「３１日」が表示される。図２０に示す状態における第１カレンダ桁送り歯３１８ａの正転送り部３１８ａｆと日中間歯３３０ａとは、図１８に示す状態における第１カレンダ桁送り歯３１８ａの逆転送り部３１８ａｂと日中間歯３３０ａとに対し、「ＬＤＭ」を基準線とした線対称の関係に構成される。すなわち、第一日車３１２を反時計回り方向（逆方向）に送る前の状態における第１カレンダ桁送り歯３１８ａの配置と、第一日車３１２を反時計回り方向（逆方向）に送り終えた状態における第１カレンダ桁送り歯３１８ａの配置とは、「ＬＤＭ」を基準線とした線対称の関係に構成される。この構成により、本発明のカレンダ機構付き時計では、第一日車３１２および第二日車３２２を正方向に回転させて日付の表示を確実に修正することもでき、また、第一日車３１２および第二日車３２２を逆方向に回転させて日付の表示を確実に修正することもできる。
【００５９】
（１・８）超音波モータ駆動部の構成
以下に、超音波モータ駆動部の構成について説明する。図４、図２２〜図２５を参照すると、分周制御部７０４は、時刻及び日付に関する情報を計数して、日付信号を出力するように構成される。超音波モータ駆動部７３８は、分周制御部７０４が出力する日付信号に基づいて、超音波モータ２４０を駆動させるための超音波モータ駆動信号を超音波モータ２４０に出力するように構成される。図２２を参照すると、超音波モータ２４０の振動体を構成する超音波ステータ２４４の一方の面には、複数の電極からなる２組の電極群８０３ａ、８０３ｂが形成された圧電素子８０２が接着されている。発振駆動部８２５が圧電素子８０２の電極群８０３ａ、８０３ｂに接続される。インバータ８１２が、圧電素子８０２の電極群８０３ａ、８０３ｂが形成された一方の面と、他方の面に形成された電極８０３ｃ又は超音波ステータ２４４より、励振情報である電気的信号を反転増幅するための反転電力増幅器の役割を果たす。抵抗８１３はインバータ８１２に並列に接続され、インバータ８１２の動作点を安定化させる。
【００６０】
インバータ８１２の出力端子は抵抗８１４を介して２組のバッファ８１１ａ、８１１ｂの入力端子に接続されている。２つのバッファ８１１ａ、８１１ｂの出力端子の各々は、圧電素子８０２の電極群８０３ａ、８０３ｂにそれぞれ接続される。コンデンサ８１５は一端がインバータ８１２の入力端子に接続され、コンデンサ８１６は一端が、抵抗８１４を介してインバータ８１２の出力端子に接続される。コンデンサ８１５、８１６は、他端が接地され、発振駆動部８２５内の位相調整を行う。インバータ８１２及びバッファ８１１ａ、８１１ｂはそれぞれ、入力端子及び出力端子とともに制御端子も有しており、この制御端子に入力される信号次第で、出力端子を高インピーダンスの状態にすることができるトライ・ステート構成のインバータ及びバッファである。
【００６１】
正逆転信号発生部８２０が、超音波ロータ２４２の回転方向を設定するための正逆転信号を切換回路部８２６に出力する。切換回路部８２６の出力端子は、発振駆動部８２５のトライ・ステート・バッファ８１１ａ、８１１ｂ及びトライ・ステート・インバータ８１２の制御端子にそれぞれ接続され、正逆転信号発生部８２０の出力する出力信号に基づいて、トライ・ステート・バッファ８１１ａ、８１１ｂの一方を通常のバッファとして機能させ、他方のバッファの出力端子を高インピーダンス状態としてディスエーブルにする。超音波ステータ２４４は、切換回路部８２６の出力信号により選択された通常のバッファとして機能するトライ・ステート・バッファによって駆動される。超音波ステータ２４４は、切換回路部８２６によって通常のバッファとしての機能を許されたトライ・ステート・バッファのみによって駆動され、切換回路部８２６により通常のバッファとしての機能を許されたトライ・ステート・バッファが交換されると、超音波ロータ２４２の回転方向が逆転する。
【００６２】
正逆転信号発生部８２０からの出力に基づいて出力される切換回路部８２６からの出力信号により、トライ・ステート・インバータは出力端子を高インピーダンスの状態にすることができ、トライ・ステート・インバータがディスエーブルになるとき、トライ・ステート・バッファ８１１ａ、８１１ｂが両方ともディスエーブルになり、超音波ロータ２４２の回転を停止させることができる。図２３及び図２４を参照すると、円板形状の超音波ステータ２４４の平面に円板形状の圧電素子８０２が接着又は薄膜形成方法等により接合される。超音波モータ駆動部７３８が出力する超音波モータ駆動信号により、超音波ステータ２４４の周方向に２波長の定在波が励振され、超音波ロータ２４２を回転駆動させることができるように構成される。圧電素子８０２は、その一方の平面に、周方向に波数に対して４倍であるところの８分割した電極を１つおきに、第１の電極群８０３ａ及び第２の電極群８０３ｂとなるように形成し、図２３及び図２４に示すように、分極処理（＋）及び（−）が施してある。
【００６３】
第１の電極群８０３ａは電極ａ１、ａ２、ａ３、ａ４で構成され、各電極は第１の結線手段８１４ａで短絡される。第２の電極群８０３ｂは電極ｂ１、ｂ２、ｂ３、ｂ４で構成され、各電極は第２の結線手段８１４ｂで短絡される。図２３及び図２４における（＋）、（−）は分極処理の方向を示し、それぞれ圧電素子８０２の超音波ステータ２４４との接合面側に対して、正の電界、負の電界を印加して分極処理したものである。超音波ステータ２４４の変位を拡大し、超音波ステータ２４４から超音波ロータ２４２へ駆動力を伝達するための突起（くし歯）８１７が、超音波ステータ２４４の表面上に、各電極の境界付近で１つおきに設けられる。発振駆動部８２５が発生する高周波電圧を電極群８０３ａ又は８０３ｂのどちらか一方に印加して超音波ステータ２４４を駆動する。超音波ロータ２４２の回転方向は、超音波ステータ２４４がどちらの電極群で駆動されるかによって切換えられる。集積回路（ＩＣ）７５４をＣ−ＭＯＳで構成した場合には、超音波モータ駆動部７３８と、正逆転信号発生部８２０と、発振駆動部８２５と、切換回路部８２６とは、集積回路に内蔵される。集積回路（ＩＣ）７５４をＰＬＡで構成した場合には、超音波モータ駆動部７３８と、正逆転信号発生部８２０と、発振駆動部８２５と、切換回路部８２６とは、ＰＬＡに記憶されているプログラムにより動作するように構成される。
【００６４】
本発明のカレンダ付き時計に用いられる超音波モータは、上記の超音波モータ駆動部、圧電素子及び超音波ステータの構成により駆動するのが好ましいけれども、他の構成により駆動させることもできる。分周制御部７０４は、その計数結果が午前零時を出力すると、超音波モータ制御信号を超音波モータ駆動部７３８に出力する。すると、超音波モータ駆動部７３８は、１日に１回、第一日車３１２を（３６０／３１）度だけ回転させる超音波モータ駆動信号を超音波モータ２４０に出力するように構成される。分周制御部７０４は、「年」、「月」、「日」及び時刻を計数する。分周制御部７０４の計数結果が通常の日の午前零時を出力すると、通常の日に対応する超音波モータ制御信号を超音波モータ駆動部７３８に出力する。すると、超音波モータ駆動部７３８は、１日に１回、第一日車３１２を（３６０／３１）度だけ回転させる超音波モータ駆動信号を超音波モータ２４０に出力するように構成されている。
【００６５】
また、分周制御部７０４の計数結果が閏年でない年の３月１日、例えば、１９９７年の３月１日の午前零時を出力すると、分周制御部７０４は３月１日に対応する超音波モータ制御信号を超音波モータ駆動部７３８に出力する。すると、超音波モータ駆動部７３８は、第一日車３１２を（３６０／３１）×４度だけ回転させる超音波モータ駆動信号を超音波モータ２４０に出力するように構成されている。従って、第一日車３１２の表示する「日」の１の位に関する情報は、２月２８日に対応する「８」の表示から、「２９日の表示における１の位の「９」」、「３０日の表示における１の位の「０」」、「３１日の表示における１の位の「１」」を表示することなく、３月１日に対応する「１」の表示に変化する。また、分周制御部７０４の計数結果が閏年３月１日、例えば、２０００年の３月１日の午前零時を出力すると、分周制御部７０４は閏年の３月１日に対応する超音波モータ制御信号を超音波モータ駆動部７３８に出力する。すると、超音波モータ駆動部７３８は、第一日車３１２を（３６０／３１）×３度だけ回転させる超音波モータ駆動信号を出力するように構成されている。従って、第一日車３１２の表示する「日」の１の位に関する情報は、２月２９日に対応する「９」の表示から、「３０日の表示における１の位の「０」」、「３１日の表示における１の位の「１」」を表示することなく、３月１日に対応する「１」の表示に変化する。
【００６６】
同様に、分周制御部７０４の計数結果が「小の月」の月末の日即ち「３０日」の次に来る１日、例えば、５月１日の午前零時を出力すると、分周制御部７０４は５月１日に対応する超音波モータ制御信号を超音波モータ駆動部７３８に出力する。すると、超音波モータ駆動部７３８は、第一日車３１２を（３６０／３１）度×２だけ回転させる超音波モータ駆動信号を出力するように構成されている。従って、第一日車３１２の表示する「日」の１の位に関する情報は、４月３０日に対応する「０」の表示から、５月１日に対応する「１」の表示に変化する。以上説明したように、本発明のカレンダ付き時計は、いわゆる「オートカレンダ時計」或いは「万年カレンダ時計」を構成することができる。
【００６７】
（１・９）回転検出部の構成
以下に、回転検出部の構成について説明する。図３、図４、図２５を参照すると、ムーブメント１００において、２４時信号検出部７４０が、２４時接点車２１０の回転を検出するために設けられる。２４時接点車２１０の回転により、１日に１度だけ、２４時接点ばね２１２が２４時接点パターン７１２ｃと接触すると、２４時検出信号が、２４時信号検出部７４０に出力される。２４時信号検出部７４０は、２４時接点車２１０の回転を検出した結果を超音波モータ駆動部７３８に出力する。超音波モータ駆動部７３８は、日回し車３１０の回転検出結果にもとづいて、現在の時刻に関する情報を記憶する。さらに、日回し車回転信号検出部７４２が、日回し車３１０の回転を検出するために設けられる。日回し車３１０の回転により、１日に１度だけ、日回し車接点ばね３２０が日回し車接点パターン７１２ｄと接触すると、日回し車検出信号が、日回し車回転信号検出部７４２に出力される。日回し車回転信号検出部７４２は、日回し車３１０の回転を検出した結果を超音波モータ駆動部７３８に出力する。超音波モータ駆動部７３８は、日回し車３１０の回転検出結果にもとづいて、現在の日に関する情報を記憶する。集積回路（ＩＣ）７５４をＣ−ＭＯＳで構成した場合には、２４時信号検出部７４０と、日回し車回転信号検出部７４２とは、集積回路７５４に内蔵される。集積回路（ＩＣ）７５４をＰＬＡで構成した場合には、２４時信号検出部７４０と、日回し車回転信号検出部７４２は、ＰＬＡに記憶されているプログラムにより動作するように構成される。さらに、本発明のカレンダ付き時計では、必要に応じて、抵抗、コンデンサ、コイル、ダイオードなどの外付け素子を用いることができる。
【００６８】
（１・１０）時差修正輪列機構の構成
以下に、時差修正輪列機構の構成について説明する。図３、図２６〜図３４を参照すると、ムーブメント１００において、本発明のカレンダ付き時計の時差修正輪列は、巻真１１０の回転軸線を回転中心として回転するつづみ車１１４と、巻真１１０の回転軸線を回転中心として回転する第１時差修正車１３２と、第１時差修正車１３２の回転に基づいて回転する第２時差修正車１３４と、第２時差修正車１３４の回転に基づいて回転する第３時差修正車１３６とを含む。第１時差修正車１３２は、巻真１１０の回転軸線を回転中心として回転するように、巻真１１０に組み込まれる。第２時差修正車１３４は、カレンダ裏板３０４に回転可能に、カレンダ裏板３０４の文字板側に組み込まれる。第３時差修正車１３６は、カレンダ裏板３０４に回転可能に、カレンダ裏板３０４の文字板側に組み込まれる。第２時差修正車１３４の一部分は、カレンダ裏板３０４と地板１０２との間に配置される。第２時差修正車１３４の他の一部分は、日車押え３０２と地板１０２との間に配置される。第３時差修正車１３６は、日車押え３０２とカレンダ裏板３０４との間に配置される。図２６及び図２７を参照すると、つづみ車１１４は、甲歯１１４ａと、乙歯１１４ｂとを備える。
【００６９】
図２８及び図２９を参照すると、第１時差修正車１３２は、時差修正が可能な状態において、つづみ車１１４の乙歯１１４ｂと噛み合う第１時差修正かな１３２ａと、第２時差修正車１３４を回転させるための第１時差修正歯車１３２ｂとを備えている。第１時差修正車１３２の第１時差修正かな１３２ａの歯数は２である。すなわち、第１時差修正かな１３２ａの歯数はつづみ車１１４の乙歯１１４ｂの歯数に等しい。図３１を参照すると、第２時差修正車１３４は、第１時差修正歯車１３２ｂと噛み合う第２時差修正歯車１３４ｂと、第３時差修正車１３６を回転させるための第２時差修正かな１３４ａとを備える。第３時差修正車１３６の第３時差修正歯車１３６ｂは、第２時差修正かな１３４ａと噛み合い、時表示車１８８の時表示歯車１８８ｂと噛み合っている。前述したように、筒車１８０は、筒歯車１８２と、時ジャンパ１８４と、時ジャンパかな１８６と、時表示車１８８と、接点作動車１８９とを含む。スリップ機構は、時ジャンパかな１８６と時ジャンパ１８４とにより構成される。時ジャンパかな１８６は時表示車１８８に固定されている。時ジャンパかな１８６は、時ジャンパかな歯部分１８６ａを有する。時ジャンパかな歯部分１８６ａの歯数は１２である。時ジャンパかな歯部分１８６ａの歯数は、時表示車１８８に取付けられた時針１６４による「１２時間」の表示に対応する。図３０を参照すると、時ジャンパ１８４は筒歯車１８２に固定されている。時ジャンパ１８４は、２つの規正部分１８４ａを有する。規正部分１８４ａは規正ばね部分１８４ｂを介して時ジャンパ１８４に一体に形成されている。頂点１８４ｃが、時ジャンパ１８４の規正部分１８４ａの交点に設けられている。
【００７０】
（１・１１）本発明のカレンダ機構付き時計の実施の形態の作動
（１・１１・１）通常運針の作動
次に、本発明のカレンダ機構付き時計の通常運針の作動について説明する。図１〜図４、図２５を参照すると、電池１４０が時計の動力源を構成する。水晶ユニット７５０に収容された水晶振動子が、例えば、３２，７６８ヘルツで発振する。この水晶振動子の振動に基づいて、集積回路７５４に内蔵されている発振部７０２が基準信号を出力し、分周制御部７０４が発振部７０２の出力信号を分周する。モータ駆動部７０６が分周制御部７０４の出力信号に基づいて、ステップモータを駆動するモータ駆動信号をコイルブロック７３０に出力する。コイルブロック７３０がモータ駆動信号を入力すると、ステータ７３２が磁化して、ロータ７３４を回転させる。ロータ７３４は、例えば、１秒ごとに１８０度回転する。ロータ７３４の回転に基づいて、五番車１４１の回転を介して四番車１４２が回転する。四番車１４２は１分間に１回転する。四番車１４２に取付けられた秒針１６０により、時刻情報のうちの「秒」を表示する。
【００７１】
三番車１４４が四番車１４２の回転に基づいて回転する。二番車１４６が三番車１４４の回転に基づいて回転する。二番車１４６の代わりに分車を用いてもよい。二番車１４６は１時間に１回転する。二番車１４６に取付けられた分針１６２により、時刻情報のうちの「分」を表示する。スリップ機構が二番車１４６又は分車に設けられている。スリップ機構により、針合わせをするときに、秒針１６０を停止させた状態で、巻真１１０を回転させることにより、分針１６２及び時針１６４を回転させることができる。日の裏車１４８が二番車１４６の回転に基づいて回転する。筒車１８０が日の裏車１４８の回転に基づいて回転する。筒車１８０は１２時間に１回転する。筒車１８０の時表示車１８８に取付けられた時針１６４により、時刻情報のうちの「時」を表示する。２４時接点車２１０が接点作動車１８９の回転により回転する。２４時接点車２１０の２４時接点ばね２１２は、回路ブロック７１２の２４時接点パターン７１２ｃと接触可能に配置されている。２４時中間車２２０は筒車１８０の回転により回転する。２４時筒車２２２は２４時中間車２２０の回転により回転する。２４時筒車２２２は１日（２４時間）に１回転する。２４時筒車２２２に取り付けた２４時針２２４により、１周が２４時間となる「２４時制」で、時刻情報のうちの「時」を表示する。
【００７２】
（１・１１・２）カレンダ送りの作動
次に、本発明のカレンダ機構付き時計のカレンダ送りの作用について説明する。図１〜図５、図２２、図２５を参照すると、超音波モータ駆動部７３８が、分周制御部７０４の出力信号に基づいて、超音波モータ２４０を駆動する超音波モータ駆動信号を超音波モータ２４０に出力する。超音波モータ駆動部７３８は、集積回路７５４に内蔵されている。日回し中間車３０８は、超音波モータ２４０の超音波ロータ２４２の作動に基づいて回転する。日回し車３１０は日回し中間車３０８の回転に基づいて回転する。日回し車３１０が回転することにより、日回し車３１０の日回し歯３１０ａは第一日車３１２を回転させる。超音波モータ駆動部７３８の出力する信号は、１日につき第一日車３１２を１歯分（１ピッチ）だけ回転させるように出力される。日回し車３１０が回転することにより、日回し車接点ばね３２０が回転する。日回し車接点ばね３２０が回転することにより、第１接点部分（図示せず）が基準電位パターン（図示せず）に接触し、かつ、第２接点部分（図示せず）が接点スイッチパターン（図示せず）と接触する状態になる。この状態では、日回し車の回転信号が日回し車回転信号検出部７４２に出力される。日回し車回転信号検出部７４２は、集積回路７５４に内蔵されている。
【００７３】
日回し車回転信号検出部７４２が日回し車の回転信号を入力すると、日回し車回転信号検出部７４２は超音波モータ２４０の作動を制御するために、超音波モータ制御信号を超音波モータ駆動部７３８に出力する。超音波モータ駆動部７３８は、超音波モータ制御信号を入力すると、超音波モータ駆動信号の出力を停止する。このように構成することにより、第一日車３１２の回転を制御することができる。更に、日回し車３１０が回転することにより、日回し車接点ばね３２０がさらに回転する。日回し車接点ばね３２０が回転することにより、第１接点部分が基準電位パターンから離れて接点スイッチパターンと接触し、かつ、第２接点部分が接点スイッチパターンから離れて基準電位パターンと接触する状態になる。この状態でも、日回し車の回転信号が日回し車回転信号検出部７４２に出力される。日回し車回転信号検出部７４２が日回し車の回転信号を入力すると、日回し車回転信号検出部７４２は超音波モータ２４０の作動を制御するために、超音波モータ制御信号を超音波モータ駆動部７３８に出力する。超音波モータ駆動部７３８は、超音波モータ制御信号を入力すると、超音波モータ駆動信号の出力を停止する。このように構成することにより、毎日１回、第一日車３１２を１歯分（１ピッチ）だけ回転させることができる。
【００７４】
図１５、図１６を参照すると、日回し車３１０が矢印で示す方向（時計回り方向）に回転することにより、日回し歯３１０ａは第一日車歯部３１６を送り、１日に１度、第一日車３１２を時計回り方向に（３６０／３１）度回転させる。第一日車３１２により日窓から表示される日文字が「９」から「０」（または、「白紙」の状態）に変わるとき、第一日車３１２が時計回り方向に（３６０／３１）度回転することにより、第２カレンダ桁送り歯３１８ｂ、第３カレンダ桁送り歯３１８ｃ、第１カレンダ桁送り歯３１８ｄの正転送り部は日中間歯３３０ａを回転させ、日中間歯３３０ａが送り歯３２８を回転させて、１０日ごとに１度、第二日車３２２を反時計回り方向に３０度回転させる。第二日車３２２により日窓から表示される日文字が「３」から「０」（または、「白紙」の状態）に変わり、かつ、第一日車３１２により日窓から表示される日文字が「１」から隣接する次の「１」に変わるとき、第一日車３１２が時計回り方向に（３６０／３１）度回転することにより、第１カレンダ桁送り歯３１８ａの正転送り部３１８ａｆは日中間歯３３０ａを回転させ、日中間歯３３０ａが送り歯３２８を回転させて、３１日ごとに１度、第二日車３２２を反時計回り方向に３０度回転させる。
【００７５】
図１７を参照すると、図１６に示す状態からさらに日回し車３１０が矢印で示す方向に回転して、日回し歯３１０ａが第一日車３１２を矢印で示す方向に回転させると、第一日ジャンパ３１４の弾性力により、第一日車３１２は、図１５に示す状態から時計回り方向に（３６０／３１）度回転した位置に位置決めされる。また、第二日ジャンパ３２４の弾性力により、第二日車３２２は、図１５に示す状態から反時計回り方向に３０度回転した位置に位置決めされる。その結果、第二日車３２２の表示が「３」から「０」（または、「白紙」の状態）に変わり、かつ、第一日車３１２の表示が「１」から隣接する次の「１」に変わる。すなわち、図１７に示す状態では、カレンダ機構付き時計の文字板の日窓には、第二日車３２２の表示が「０」（または、「白紙」の状態）で、第一日車３１２の表示が「１」である「１日」が表示される。
【００７６】
（１・１２）時差修正の作動
次に、本発明のカレンダ機構付き時計において、時差修正を行う場合の作動について説明する。図３及び図３３を参照すると、巻真１１０を１段目に引き出し、カレンダ機構付き時計の時差修正が可能な状態において、巻真１１０を回転させるとつづみ車１１４が回転し、つづみ車１１４の回転により、第１時差修正車１３２、第２時差修正車１３４、第３時差修正車１３６の回転を介して、時表示車１８８が回転する。図３１及び図３２を参照すると、時表示車１８８が回転することにより、時ジャンパかな１８６が、図３１に矢印１８８ｘで示す方向に回転し、時ジャンパかな歯部分１８６ａの１つの歯の頂点が、時ジャンパ１８４の規正部分１８４ａの頂点１８４ｃに接触する。更に巻真１１０を回転させて、図３１に矢印１８８ｘで示す方向に時ジャンパかな１８６を回転させると、時ジャンパかな歯部分１８６ａの１つの歯の頂点が、時ジャンパ１８４の規正部分１８４ａの頂点１８４ｃを越える。すると、図３３及び図３４に示すように、時ジャンパ１８４の規正ばね部分１８４ｂのばね力により、時ジャンパ１８４は図３３に矢印１８８ｘで示す方向に回転して、時ジャンパかな１８６の１ピッチ分の送りが完了する。図３３及び図３４に示す状態では、時ジャンパ１８４は、時計を駆動するためのステップモータの駆動力により、回転しないように位置決めされている。
【００７７】
図８を参照すると、本発明のカレンダ機構付き時計のコンプリート３００では、巻真１１０に取付けたりゅうず３００ｃを回転させることにより、時針１６４は、図８に実線で示す時差修正前の位置（符号１６４で示す位置）から回転して、図８に想像線で示す「１時間」進んだ位置、すなわち、１ピッチ進んだ位置（符号１６４ｃで示す位置）に移動する。りゅうず３００ｃ及び巻真１１０の回転により、時表示車１８８を回転させても時ジャンパ１８４は回転しないし、時表示車３８８を回転させても時ジャンパ３８４は回転しないので、カレンダ機構付き時計において時差修正を行っている状態で、秒針１６０は正確に秒を表示し、分針１６２は正確に分を表示することができる。りゅうず３００ｃ及び巻真１１０を上述した作動と逆の方向に回すことにより、図３１に矢印１８８ｙで示す方向に時ジャンパかな１８６を回転させることができる。従って、本発明のカレンダ機構付き時計では、りゅうず３００ｃ及び巻真１１０を第一の方向に回転させることにより、時針１６４を「１時間」ずつ、すなわち、１ピッチずつ進めることができる。さらに、本発明のカレンダ機構付き時計では、りゅうず３００ｃ及び巻真１１０を、第一の方向と反対の第二の方向に回転させることにより、時針１６４を「１時間」ずつ、すなわち、１ピッチずつ逆転させて、図８に点線で示す位置（符号１６４ｄで示す位置）に移動させることができる。
【００７８】
巻真１１０を１段目に引き出し、カレンダ機構付き時計の時差修正が可能な状態において、巻真１１０を回転させると、つづみ車１１４、小鉄車１５５、日の裏車１４８の回転を介して、筒車１８０が回転する。筒車１８０が回転すると、時表示車１８８が同時に回転し、接点作動車１８９が回転する。接点作動車１８９が回転すると、２４時接点車２１０が回転する。２４時接点車２１０が回転し２４時になったとき、２４時接点車２１０の２４時接点ばね２１２は、回路ブロック７１２の２４時接点パターン７１２ｃに接触する。すなわち、２４時接点車２１０の回転により、２４時接点ばね２１２が２４時接点パターン７１２ｃと接触すると、２４時検出信号が、２４時信号検出部７４０に出力される。２４時信号検出部７４０は、２４時接点車２１０の回転を検出した結果を超音波モータ駆動部７３８に出力する。超音波モータ駆動部７３８は、超音波モータ２４０を駆動する超音波モータ駆動信号を超音波モータ２４０に出力する。日回し中間車３０８は、超音波モータ２４０の超音波ロータ２４２の作動に基づいて回転する。日回し車３１０は日回し中間車３０８の回転に基づいて回転する。日回し車３１０が回転することにより、日回し車３１０の日回し歯３１０ａは第一日車３１２を回転させる。本発明のカレンダ機構付き時計では、時差修正を正転方向に行ったときは、第一日車３１２を正転方向に回転させることができ、時差修正を逆転方向に行ったときは、第一日車３１２を逆転方向に回転させることができる。
【００７９】
（１・１３）針合わせの作動
次に、本発明のカレンダ機構付き時計において、針合わせを行う場合の作動について説明する。図１〜図４、図２５を参照すると、ムーブメント１００において、巻真１１０を２段目に引き出すと、つづみ車１１４の甲歯１１４ａが小鉄車１５５と噛み合う。この状態で、巻真１１０を回転させると、つづみ車１１４の回転に基づいて小鉄車１５５が回転する。小鉄車１５５の回転に基づいて、日の裏車１４８が回転する。従って、巻真１１０が２段目にあるときに、巻真１１０を回転させることにより、「針合わせ」をすることができる。すなわち、巻真１１０が２段目にあるときに、巻真１１０を回転させることにより、筒車１８０を回転させて、筒車１８０に取付けられた時針１６４が表示する「時」の表示内容を修正し、同時に、二番車１４６を回転させることにより、二番車１４６に取付けられた分針１６２が表示する「分」の表示内容を修正することができる。そして、規正レバーの作用により、「時」及び「分」の表示内容を修正している間、四番車１４２は回転することがなく、「秒」の表示内容は変化しない。
【００８０】
巻真１１０を２段目に引き出し、カレンダ機構付き時計の針合わせが可能な状態において、巻真１１０を回転させると、つづみ車１１４、小鉄車１５５、日の裏車１４８の回転を介して、筒車１８０が回転する。筒車１８０が回転すると、時表示車１８８が同時に回転し、接点作動車１８９が回転する。接点作動車１８９が回転すると、２４時接点車２１０が回転する。２４時接点車２１０が回転し２４時になったとき、２４時接点車２１０の２４時接点ばね２１２は、回路ブロック７１２の２４時接点パターン７１２ｃに接触する。すなわち、２４時接点車２１０の回転により、２４時接点ばね２１２が２４時接点パターン７１２ｃと接触すると、２４時検出信号が、２４時信号検出部７４０に出力される。２４時信号検出部７４０は、２４時接点車２１０の回転を検出した結果を超音波モータ駆動部７３８に出力する。超音波モータ駆動部７３８は、超音波モータ２４０を駆動する超音波モータ駆動信号を超音波モータ２４０に出力する。日回し中間車３０８は、超音波モータ２４０の超音波ロータ２４２の作動に基づいて回転する。日回し車３１０は日回し中間車３０８の回転に基づいて回転する。日回し車３１０が回転することにより、日回し車３１０の日回し歯３１０ａは第一日車３１２を回転させる。本発明のカレンダ機構付き時計では、針合わせを正転方向に行ったときは、第一日車３１２を正転方向に回転させることができ、針合わせを逆転方向に行ったときは、第一日車３１２を逆転方向に回転させることができる。
【００８１】
（２）第２の実施の形態
次に、本発明のカレンダ機構付き時計の第２の実施の形態を説明する。以下の説明は、本発明のカレンダ機構付き時計の第２の実施形態が本発明のカレンダ機構付き時計の第１の実施形態と異なる点を主に述べる。したがって、以下に記載がない個所は、前述した本発明のカレンダ機構付き時計の第１の実施形態についての説明をここに準用する。
【００８２】
図２１を参照すると、ムーブメント３９０において、日送り機構は、日回し中間車３９２と、日回し車３９３と、日回しつめ３９４とを含む。日回し中間車３９２は、筒車３９１の回転により回転するように構成される。すなわち、日送り機構は、表輪列を回転させるステップモータ（図示せず）の回転により回転するように構成される。日回しつめ３９４は、日回し車３９３と一体になって回転するように構成される。日回し車３９３は１日に１回転するように構成される。日回し中間車３９２が回転することにより、日回し車３９３が回転し、日回しつめ３９４により第一日車３１２が、１日に１度、１ピッチ（１歯）分だけ回転するように構成される。
【００８３】
巻真１１０を２段目に引き出すと、つづみ車１１４の甲歯１１４ａが小鉄車１５５と噛み合う。この状態で、巻真１１０を回転させると、つづみ車１１４の回転に基づいて小鉄車１５５が回転し、小鉄車１５５の回転に基づいて、日の裏車１２６が回転する。従って、巻真１１０が２段目にあるときに、巻真１１０を回転させることにより、「針合わせ」をすることができる。すなわち、巻真１１０が２段目にあるときに、巻真１１０を回転させることにより、筒車３９１を回転させて、筒車３９１に取付けられた時針１６４が表示する「時」の表示内容を修正し、同時に、二番車１４６を回転させることにより、二番車１４６に取付けられた分針１６２が表示する「分」の表示内容を修正することができる。また、筒車３９１の回転により、日回し中間車３９２の回転を介して日回し車３９３が回転する。日回し車３９３が回転することにより、日回し爪３９４が回転し、日回しつめ３９４により第一日車３１２を回転させることができる。巻真１１０が２段目にあるときに、巻真１１０を第１の方向に回転させることにより、第一日車３１２および第二日車３２２を正方向に回転させて日の正転修正を行うことができる。また、巻真１１０が２段目にあるときに、巻真１１０を、第１の方向と逆の第２の方向に回転させることにより、第一日車３１２および第二日車３２２を逆方向に回転させて日の逆転修正を行うことができる。
【産業上の利用可能性】
【００８４】
本発明のカレンダ機構付き時計は、日付のうちの一の位を表示する第一日車と、日付のうちの十の位を表示する第二日車とを含み、第一日車および第二日車を正方向に回転させて日付の表示を修正することもでき、さらに、第一日車および第二日車を逆方向に回転させて確実かつ容易に日付の表示を逆戻りさせる修正をすることもできる。
また、カレンダ機構付き時計は、日付のうちの一の位を表示する第一日車と、日付のうちの十の位を表示する第二日車とを含み、日付の表示を正逆両方向に修正することができ、かつ、時針による表示の時差修正をすることができる。
【図面の簡単な説明】
【００８５】
【図１】本発明のカレンダ機構付き時計の第１の実施形態において、ムーブメントを文字板側から見たときの構造を示す概略平面図である。
【図２】本発明のカレンダ機構付き時計の第１の実施形態において、ムーブメントを裏蓋側から見たときの構造を示す概略平面図（透視図）である。
【図３】本発明のカレンダ機構付き時計の第１の実施形態において、巻真、表輪列、カレンダ機構の一部分を示す部分断面図である。
【図４】本発明のカレンダ機構付き時計の第１の実施形態において、超音波モータを示す部分断面図である。
【図５】本発明のカレンダ機構付き時計の第１の実施形態において、ムーブメントを文字板側から見たときのカレンダ機構の一部分を示す拡大部分平面図である。
【図６】本発明のカレンダ機構付き時計の第１の実施形態において、文字板の１２時方向に日窓を配置した構成における第一日車を示す平面図である。
【図７】本発明のカレンダ機構付き時計の第１の実施形態において、文字板の１２時方向に日窓を配置した構成における第二日車を示す平面図である。
【図８】本発明のカレンダ機構付き時計の第１の実施形態において、文字板の１２時方向に日窓を配置した構成におけるコンプリートを示す平面図である。
【図９】本発明のカレンダ機構付き時計の第１の実施形態において、文字板の６時方向に日窓を配置した構成における第一日車を示す平面図である。
【図１０】本発明のカレンダ機構付き時計の第１の実施形態において、文字板の６時方向に日窓を配置した構成における第二日車を示す平面図である。
【図１１】本発明のカレンダ機構付き時計の第１の実施形態において、文字板の６時方向に日窓を配置した構成におけるコンプリートを示す平面図である。
【図１２】本発明のカレンダ機構付き時計の第１の実施形態において、文字板の３時方向に日窓を配置した構成における第一日車を示す平面図である。
【図１３】本発明のカレンダ機構付き時計の第１の実施形態において、文字板の３時方向に日窓を配置した構成における第二日車を示す平面図である。
【図１４】本発明のカレンダ機構付き時計の第１の実施形態において、文字板の３時方向に日窓を配置した構成におけるコンプリートを示す平面図である。
【図１５】本発明のカレンダ機構付き時計の第１の実施形態において、第一日車が正方向に回転しようとしている状態における、文字板側から見たムーブメントの裏側の構造を示す部分平面図である。
【図１６】本発明のカレンダ機構付き時計の第１の実施形態において、第一日車が正方向に回転している状態における、文字板側から見たムーブメントの裏側の構造を示す部分平面図である。
【図１７】本発明のカレンダ機構付き時計の第１の実施形態において、第一日車が正方向に１ピッチ回転した状態における、文字板側から見たムーブメントの裏側の構造を示す部分平面図である。
【図１８】本発明のカレンダ機構付き時計の第１の実施形態において、第一日車が逆方向に回転しようとしている状態における、文字板側から見たムーブメントの裏側の構造を示す部分平面図である。
【図１９】本発明のカレンダ機構付き時計の第１の実施形態において、第一日車が逆方向に回転している状態における、文字板側から見たムーブメントの裏側の構造を示す部分平面図である。
【図２０】本発明のカレンダ機構付き時計の第１の実施形態において、第一日車が逆方向に１ピッチ回転した状態における、文字板側から見たムーブメントの裏側の構造を示す部分平面図である。
【図２１】本発明のカレンダ機構付き時計の第２の実施形態において、第一日車が正方向に回転しようとしている状態における、文字板側から見たムーブメントの裏側の構造を示す部分平面図である。
【図２２】本発明のカレンダ機構付き時計の第１の実施形態において、超音波モータの駆動回路を示すブロック図である。
【図２３】本発明のカレンダ機構付き時計の第１の実施形態において、超音波モータの超音波ステータを示す平面図である。
【図２４】本発明のカレンダ機構付き時計の第１の実施形態において、超音波モータの超音波ステータを示す断面図である。
【図２５】本発明のカレンダ機構付き時計の第１の実施形態において、駆動回路、表輪列、カレンダ機構、超音波モータなどを示すブロック図である。
【図２６】本発明のカレンダ機構付き時計の第１の実施形態において、時差修正機構に用いられるつづみ車を示す平面図である。
【図２７】本発明のカレンダ機構付き時計の第１の実施形態において、時差修正機構に用いられるつづみ車を示す正面図である。
【図２８】本発明のカレンダ機構付き時計の第１の実施形態において、時差修正機構に用いられる第１時差修正車を示す平面図である。
【図２９】本発明のカレンダ機構付き時計の第１の実施形態において、時差修正機構に用いられる第１時差修正車を示す正面図である。
【図３０】本発明のカレンダ機構付き時計の第１の実施形態において、時差修正機構に用いられる時ジャンパ付き筒歯車を示す平面図である。
【図３１】本発明のカレンダ機構付き時計の第１の実施形態において、時差修正機構を構成する時ジャンパの規正部が時ジャンパかなの歯の頂点にあたっているときの作動を示す平面図である。
【図３２】本発明のカレンダ機構付き時計の第１の実施形態において、軸線の方向から見たときの、図３１に対応する側面図である。
【図３３】本発明のカレンダ機構付き時計の第１の実施形態において、時差修正機構を構成する時ジャンパの規正部が時ジャンパかなの歯の頂点を越えて時ジャンパかなを規正したときの作動を示す平面図である。
【図３４】本発明のカレンダ機構付き時計の第１の実施形態において、軸線の方向から見たときの、図３３に対応する側面図である。
【図３５】本発明の基礎技術を構成するカレンダ機構付き時計において、第一日車が正方向に回転しようとしている状態における、文字板側から見たムーブメントの裏側の構造を示す部分平面図である。
【図３６】本発明の基礎技術を構成するカレンダ機構付き時計において、第一日車が正方向に回転している状態における、文字板側から見たムーブメントの裏側の構造を示す部分平面図である。
【図３７】本発明の基礎技術を構成するカレンダ機構付き時計において、第一日車が正方向に１ピッチ回転した状態における、文字板側から見たムーブメントの裏側の構造を示す部分平面図である。
【図３８】本発明の基礎技術を構成するカレンダ機構付き時計において、第一日車が逆方向に回転しようとしている状態における、文字板側から見たムーブメントの裏側の構造を示す部分平面図である。
【図３９】本発明の基礎技術を構成するカレンダ機構付き時計において、第一日車が逆方向に回転している状態における、文字板側から見たムーブメントの裏側の構造を示す部分平面図である。
【図４０】本発明の基礎技術を構成するカレンダ機構付き時計において、第一日車をさらに逆方向に回転させた状態における、文字板側から見たムーブメントの裏側の構造を示す部分平面図である。
【図４１】本発明の基礎技術を構成するカレンダ機構付き時計において、ばねバランスがとれて均衡状態になったときの、文字板側から見たムーブメントの裏側の構造を示す部分平面図である。
【符号の説明】
【００８６】
１００  ムーブメント
１０２  地板
１０４  文字板
１１０  巻真
１１４  つづみ車
１４１  五番車
１４２  四番車
１４４  三番車
１４６  二番車
１８０  筒車
２４０  超音波モータ
３０８  日回し中間車
３１０  日回し車
３１２  第一日車
３１４  第一日ジャンパ
３２２  第二日車
３２４  第二日ジャンパ
３３０  日中間車
【図１】
2005214836.tif 000003
【図２】
2005214836.tif 000004
【図３】
2005214836.tif 000005
【図４】
2005214836.tif 000006
【図５】
2005214836.tif 000007
【図６】
2005214836.tif 000008
【図７】
2005214836.tif 000009
【図８】
2005214836.tif 000010
【図９】
2005214836.tif 000011
【図１０】
2005214836.tif 000012
【図１１】
2005214836.tif 000013
【図１２】
2005214836.tif 000014
【図１３】
2005214836.tif 000015
【図１４】
2005214836.tif 000016
【図１５】
2005214836.tif 000017
【図１６】
2005214836.tif 000018
【図１７】
2005214836.tif 000019
【図１８】
2005214836.tif 000020
【図１９】
2005214836.tif 000021
【図２０】
2005214836.tif 000022
【図２１】
2005214836.tif 000023
【図２２】
2005214836.tif 000024
【図２３】
2005214836.tif 000025
【図２４】
2005214836.tif 000026
【図２５】
2005214836.tif 000027
【図２６】
2005214836.tif 000028
【図２７】
2005214836.tif 000029
【図２８】
2005214836.tif 000030
【図２９】
2005214836.tif 000031
【図３０】
2005214836.tif 000032
【図３１】
2005214836.tif 000033
【図３２】
2005214836.tif 000034
【図３３】
2005214836.tif 000035
【図３４】
2005214836.tif 000036
【図３５】
2005214836.tif 000037
【図３６】
2005214836.tif 000038
【図３７】
2005214836.tif 000039
【図３８】
2005214836.tif 000040
【図３９】
2005214836.tif 000041
【図４０】
2005214836.tif 000042
【図４１】
2005214836.tif 000043